(57)【要約】【課題】熱を供給する場所と利用する場所とが離れていても流体搬送に要するエネルギーを削減できる吸収式熱交換システムを提供する。【解決手段】吸収式熱交換システム１は、冷媒の蒸発圧力が凝縮圧力よりも高い昇温吸収ヒートポンプＸ１と、冷媒の蒸発圧力が凝縮圧力よりも低い増熱吸収ヒートポンプＹ１と、加熱された昇温対象流体ＲＰを増熱吸収ヒートポンプＹ１に導く昇温対象流体流路８１と、増熱吸収ヒートポンプＹ１から流出した低温熱源流体ＧＰを昇温吸収ヒートポンプＸ１に導く低温熱源流体流路８２とを備え、増熱吸収ヒートポンプＹ１は増熱対象流体ＴＳを導入する増熱対象流体導入部Ｙ５６と熱消費部ＨＣＦに向けて流出する増熱対象流体流出部Ｙ５８とを有し、昇温吸収ヒートポンプＸ１は昇温駆動熱源流体ＲＳを熱供給部ＨＳＦから導入する昇温駆動熱源流体流入部Ｘ５６と昇温駆動熱源流体ＲＳを流出する昇温駆動熱源流体流出部Ｘ５８とを有する。【選択図】図１
2019070506.tif 000002
【特許請求の範囲】
【請求項１】
吸収液と冷媒との吸収ヒートポンプサイクルによって作動し、前記冷媒の蒸発圧力が前記冷媒の凝縮圧力よりも高い昇温吸収ヒートポンプと；
吸収液と冷媒との吸収ヒートポンプサイクルによって作動し、前記冷媒の蒸発圧力が前記冷媒の凝縮圧力よりも低い増熱吸収ヒートポンプと；
前記昇温吸収ヒートポンプで加熱された昇温対象流体を前記増熱吸収ヒートポンプに導く昇温対象流体流路と；
前記増熱吸収ヒートポンプから流出した低温熱源流体を前記昇温吸収ヒートポンプに導く低温熱源流体流路とを備え；
前記増熱吸収ヒートポンプは、前記増熱吸収ヒートポンプで加熱する増熱対象流体を導入する増熱対象流体導入部と、前記増熱吸収ヒートポンプで加熱された前記増熱対象流体を、熱を消費する熱消費部に向けて流出する増熱対象流体流出部と、を有し；
前記昇温吸収ヒートポンプは、前記昇温吸収ヒートポンプにおいて前記吸収ヒートポンプサイクルを駆動する昇温駆動熱源流体を、熱を供給する熱供給部から導入する昇温駆動熱源流体流入部と、前記昇温吸収ヒートポンプにおいて前記吸収ヒートポンプサイクルを駆動した前記昇温駆動熱源流体を流出する昇温駆動熱源流体流出部と、を有する；
吸収式熱交換システム。
【請求項２】
前記昇温対象流体流路は、前記増熱吸収ヒートポンプにおいて前記吸収ヒートポンプサイクルを駆動する増熱駆動熱源流体を流す部位に前記昇温対象流体を供給するように前記増熱吸収ヒートポンプに接続され；
前記低温熱源流体流路は、前記昇温吸収ヒートポンプにおける低温熱源流体を流す部位に接続された；
請求項１に記載の吸収式熱交換システム。
【請求項３】
前記低温熱源流体を直接又は間接的に流動させる第１のポンプと；
前記増熱対象流体を直接又は間接的に流動させる第２のポンプとを備える；
請求項１又は請求項２に記載の吸収式熱交換システム。
【請求項４】
前記低温熱源流体流路又は前記低温熱源流体流路と連通している流路に接続された膨張タンクを備える；
請求項１乃至請求項３のいずれか１項に記載の吸収式熱交換システム。
【請求項５】
前記昇温吸収ヒートポンプは、
前記冷媒の液が蒸発して前記冷媒の蒸気となる際に必要な蒸発潜熱を、前記昇温駆動熱源流体から奪う昇温蒸発部と、
前記冷媒を吸収して濃度が低下した前記吸収液である希溶液を加熱し前記希溶液から前記冷媒を離脱させて濃度が上昇した濃溶液とするのに必要な熱を前記昇温駆動熱源流体から奪う昇温再生部と、
前記濃溶液を導入し、前記昇温蒸発部で発生した前記冷媒の蒸気を前記濃溶液が吸収して前記希溶液となる際に放出した吸収熱によって、前記昇温蒸発部及び前記昇温再生部に導入される前の前記昇温駆動熱源流体から分岐された一部の前記昇温駆動熱源流体を前記昇温対象流体として導入して前記昇温対象流体を加熱する昇温吸収部と、
前記冷媒の蒸気が凝縮して前記冷媒の液となる際に放出した凝縮熱によって前記低温熱源流体を加熱する昇温凝縮部とを有し、
前記昇温凝縮部で加熱された前記低温熱源流体が、前記昇温蒸発部及び前記昇温再生部から流出した前記昇温駆動熱源流体に合流するように構成された；
請求項１乃至請求項４のいずれか１項に記載の吸収式熱交換システム。
【請求項６】
前記昇温吸収ヒートポンプは、
前記冷媒の液が蒸発して前記冷媒の蒸気となる際に必要な蒸発潜熱を、前記昇温駆動熱源流体から奪う昇温蒸発部と、
前記冷媒を吸収して濃度が低下した前記吸収液である希溶液を加熱し前記希溶液から前記冷媒を離脱させて濃度が上昇した濃溶液とするのに必要な熱を前記昇温駆動熱源流体から奪う昇温再生部と、
前記昇温蒸発部及び前記昇温再生部に導入される前の前記昇温駆動熱源流体から分岐された一部の前記昇温駆動熱源流体を、前記昇温蒸発部及び前記昇温再生部をバイパスして、前記昇温蒸発部及び前記昇温再生部から流出した後の前記昇温駆動熱源流体に合流させる昇温駆動熱源流体バイパス流路と、
前記冷媒の蒸気が凝縮して前記冷媒の液となる際に放出した凝縮熱によって前記低温熱源流体を加熱する昇温凝縮部と、
前記昇温凝縮部で加熱された前記低温熱源流体と、前記昇温駆動熱源流体バイパス流路を流れる前記昇温駆動熱源流体と、で熱交換させる昇温熱交換器と、
前記濃溶液を導入し、前記昇温蒸発部で発生した前記冷媒の蒸気を前記濃溶液が吸収して前記希溶液となる際に放出した吸収熱によって、前記昇温熱交換器で加熱された前記低温熱源流体を前記昇温対象流体として導入して前記昇温対象流体を加熱する昇温吸収部とを有する；
請求項１乃至請求項４のいずれか１項に記載の吸収式熱交換システム。
【請求項７】
前記昇温吸収ヒートポンプは、
前記冷媒の液が蒸発して前記冷媒の蒸気となる際に必要な蒸発潜熱を、前記昇温駆動熱源流体から奪う昇温蒸発部と、
前記冷媒を吸収して濃度が低下した前記吸収液である希溶液を加熱し前記希溶液から前記冷媒を離脱させて濃度が上昇した濃溶液とするのに必要な熱を前記昇温駆動熱源流体から奪う昇温再生部と、
前記冷媒の蒸気が凝縮して前記冷媒の液となる際に放出した凝縮熱によって前記低温熱源流体を加熱する昇温凝縮部と、
前記昇温凝縮部で加熱された前記低温熱源流体と、前記昇温蒸発部及び前記昇温再生部を流出した前記昇温駆動熱源流体と、で熱交換させる昇温熱交換器と、
前記濃溶液を導入し、前記昇温蒸発部で発生した前記冷媒の蒸気を前記濃溶液が吸収して前記希溶液となる際に放出した吸収熱によって、前記昇温熱交換器で加熱された前記低温熱源流体を前記昇温対象流体として導入して前記昇温対象流体を加熱する昇温吸収部とを有する；
請求項１乃至請求項４のいずれか１項に記載の吸収式熱交換システム。
【請求項８】
前記増熱吸収ヒートポンプは、
前記冷媒の蒸気が凝縮して前記冷媒の液となる際に放出した凝縮熱によって前記増熱対象流体を加熱する増熱凝縮部と、
前記増熱凝縮部から前記冷媒の液を導入し、導入した前記冷媒の液が蒸発して前記冷媒の蒸気となる際に必要な蒸発潜熱を前記低温熱源流体から奪う増熱蒸発部と、
前記増熱蒸発部から前記冷媒の蒸気を導入し、導入した前記冷媒の蒸気を前記吸収液が吸収して濃度が低下した希溶液となる際に放出した吸収熱によって前記増熱対象流体を加熱する増熱吸収部と、
前記増熱吸収部から前記希溶液を導入し、導入した前記希溶液を加熱し前記希溶液から冷媒を離脱させて濃度が上昇した濃溶液とするのに必要な熱を、増熱駆動熱源流体から奪う増熱再生部とを有し、
前記増熱凝縮部及び前記増熱吸収部に導入される前の前記増熱対象流体から分岐された一部の前記増熱対象流体を前記低温熱源流体として前記増熱蒸発部に導入するように構成され；
前記増熱再生部で熱を奪われた前記増熱駆動熱源流体が、前記増熱吸収部及び前記増熱凝縮部から流出した前記増熱対象流体に合流するように構成された；
請求項１乃至請求項７のいずれか１項に記載の吸収式熱交換システム。
【請求項９】
前記増熱吸収ヒートポンプは、
前記冷媒の蒸気が凝縮して前記冷媒の液となる際に放出した凝縮熱によって前記増熱対象流体を加熱する増熱凝縮部と、
前記増熱凝縮部から前記冷媒の液を導入し、導入した前記冷媒の液が蒸発して前記冷媒の蒸気となる際に必要な蒸発潜熱を前記低温熱源流体から奪う増熱蒸発部と、
前記増熱蒸発部から前記冷媒の蒸気を導入し、導入した前記冷媒の蒸気を前記吸収液が吸収して濃度が低下した希溶液となる際に放出した吸収熱によって前記増熱対象流体を加熱する増熱吸収部と、
前記増熱吸収部から前記希溶液を導入し、導入した前記希溶液を加熱し前記希溶液から冷媒を離脱させて濃度が上昇した濃溶液とするのに必要な熱を、増熱駆動熱源流体から奪う増熱再生部と、
前記増熱吸収部及び前記増熱凝縮部から流出した前記増熱対象流体と、前記増熱再生部で熱を奪われた前記増熱駆動熱源流体と、で熱交換させる増熱熱交換器とを有し、
前記増熱熱交換器を流出した前記増熱駆動熱源流体を前記低温熱源流体として前記増熱蒸発部に導入するように構成された；
請求項１乃至請求項７のいずれか１項に記載の吸収式熱交換システム。
【請求項１０】
前記増熱吸収ヒートポンプは、第１の熱消費部に向けて前記増熱対象流体を流出する第１の増熱吸収ヒートポンプと、前記第１の熱消費部とは別の第２の熱消費部に向けて前記増熱対象流体を流出する第２の増熱吸収ヒートポンプとを含んで構成された；
請求項１乃至請求項９のいずれか１項に記載の吸収式熱交換システム。
【請求項１１】
前記増熱吸収ヒートポンプは、前記増熱再生部から流出した前記増熱駆動熱源流体を、熱を消費する第１の追加熱消費部に向けて前記増熱吸収ヒートポンプの外に一旦流出する第１の増熱駆動熱源流体流出部と、前記増熱駆動熱源流体が保有する熱が前記第１の追加消費部で消費された前記増熱駆動熱源流体を導入する第１の増熱駆動熱源流体導入部とを有する；
請求項８又は請求項９に記載の吸収式熱交換システム。
【請求項１２】
前記増熱吸収ヒートポンプは、前記増熱再生部に導入される前の前記増熱駆動熱源流体から分岐された一部の前記増熱駆動熱源流体を、熱を消費する第２の追加熱消費部に向けて前記増熱吸収ヒートポンプの外に一旦流出する第２の増熱駆動熱源流体流出部と、前記増熱駆動熱源流体が保有する熱が前記第２の追加消費部で消費された前記増熱駆動熱源流体を導入する第２の増熱駆動熱源流体導入部とを有する；
請求項８又は請求項９に記載の吸収式熱交換システム。
【請求項１３】
前記昇温吸収ヒートポンプに導入される前の前記低温熱源流体から分岐された一部の前記低温熱源流体を第１の副熱源で加熱する第１の副熱装置を備え；
前記第１の副熱装置で加熱された前記低温熱源流体を前記昇温対象流体に合流させるように構成された；
請求項１乃至請求項１２のいずれか１項に記載の吸収式熱交換システム。
【請求項１４】
前記昇温吸収ヒートポンプで加熱された前記昇温対象流体を第２の副熱源で加熱する第２の副熱装置を備える；
請求項１乃至請求項１３のいずれか１項に記載の吸収式熱交換システム。
【請求項１５】
前記昇温吸収ヒートポンプは、第１の熱供給部から前記昇温駆動熱源流体を導入する第１の昇温吸収ヒートポンプと、前記第１の熱供給部とは別の第２の熱供給部から前記昇温駆動熱源流体を導入する第２の昇温吸収ヒートポンプとを含んで構成された；
請求項１乃至請求項１４のいずれか１項に記載の吸収式熱交換システム。
【発明の詳細な説明】
【技術分野】
【０００１】
本発明は吸収式熱交換システムに関し、特に吸収ヒートポンプを用いて熱を移動させる吸収式熱交換システムに関する。
【背景技術】
【０００２】
低温熱源から高温熱源へ熱を移動させる熱源機械として、吸収ヒートポンプがある。吸収ヒートポンプには、駆動熱源が有する熱エネルギーよりも多くの熱エネルギーを取り出す増熱型の第１種吸収ヒートポンプと、駆動熱源温度より高い温度の被加熱流体を取り出す昇温型の第２種吸収ヒートポンプとがある。第２種吸収ヒートポンプとして、排熱を駆動熱源として導入し、導入した排熱よりも高い温度の被加熱流体を取り出すものがある（例えば、特許文献１参照。）。
【先行技術文献】
【特許文献】
【０００３】
【特許文献１】特開２００６−２０７８８２号公報
【発明の概要】
【発明が解決しようとする課題】
【０００４】
特許文献１に記載の吸収ヒートポンプでは、排熱を導入してより利用価値の高い高温流体として取り出すことができる。しかしながら、製鉄所や発電所等で出た排熱を、住居等で利用しようとすると、一般に両者の位置は離れているから、吸収ヒートポンプをどちらに設置するにしても、流体搬送に要するエネルギーが嵩むこととなる。
【０００５】
本発明は上述の課題に鑑み、熱を供給する場所（排熱）と熱を利用する場所とが離れている場合でも流体搬送に要するエネルギーを削減できる吸収式熱交換システムを提供することを目的とする。
【課題を解決するための手段】
【０００６】
上記目的を達成するために、本発明の第１の態様に係る吸収式熱交換システムは、例えば図１（図１０）に示すように、吸収液と冷媒との吸収ヒートポンプサイクルによって作動し、冷媒の蒸発圧力が冷媒の凝縮圧力よりも高い昇温吸収ヒートポンプＸ１（Ｘ２）と；吸収液と冷媒との吸収ヒートポンプサイクルによって作動し、冷媒の蒸発圧力が冷媒の凝縮圧力よりも低い増熱吸収ヒートポンプＹ１（Ｙ２）と；昇温吸収ヒートポンプＸ１（Ｘ２）で加熱された昇温対象流体ＲＰを増熱吸収ヒートポンプＹ１（Ｙ２）に導く昇温対象流体流路８１と；増熱吸収ヒートポンプＹ１（Ｙ２）から流出した低温熱源流体ＧＰを昇温吸収ヒートポンプＸ１（Ｘ２）に導く低温熱源流体流路８２とを備え；増熱吸収ヒートポンプＹ１（Ｙ２）は、増熱吸収ヒートポンプＹ１（Ｙ２）で加熱する増熱対象流体ＴＳを導入する増熱対象流体導入部Ｙ５６と、増熱吸収ヒートポンプＹ１（Ｙ２）で加熱された増熱対象流体ＴＳを、熱を消費する熱消費部ＨＣＦに向けて流出する増熱対象流体流出部Ｙ５８と、を有し；昇温吸収ヒートポンプＸ１（Ｘ２）は、昇温吸収ヒートポンプＸ１（Ｘ２）において吸収ヒートポンプサイクルを駆動する昇温駆動熱源流体ＲＳを、熱を供給する熱供給部ＨＳＦから導入する昇温駆動熱源流体流入部Ｘ５６と、昇温吸収ヒートポンプＸ１（Ｘ２）において吸収ヒートポンプサイクルを駆動した昇温駆動熱源流体ＲＳを流出する昇温駆動熱源流体流出部Ｘ５８と、を有する。
【０００７】
このように構成すると、昇温吸収ヒートポンプに導入される昇温駆動熱源流体よりも温度を上昇させた昇温対象流体が保有する熱によって増熱された増熱対象流体を熱消費部に供給することができ、熱消費部と熱供給部とが離れている場合に昇温対象流体と低温熱源流体との温度差を大きくし両者の流量を少なくして流体搬送に要するエネルギーを削減することができる。
【０００８】
また、本発明の第２の態様に係る吸収式熱交換システムは、例えば図１（図１０）に示すように、上記本発明の第１の態様に係る吸収式熱交換システム１（１Ａ）において、昇温対象流体流路８１は、増熱吸収ヒートポンプＹ１（Ｙ２）において吸収ヒートポンプサイクルを駆動する増熱駆動熱源流体ＨＰを流す部位に昇温対象流体ＲＰを供給するように増熱吸収ヒートポンプＹ１（Ｙ２）に接続され；低温熱源流体流路８２は、昇温吸収ヒートポンプＸ１（Ｘ２）における低温熱源流体ＧＰを流す部位に接続されている。
【０００９】
このように構成すると、昇温吸収ヒートポンプで温度が上昇した昇温対象流体を増熱させて熱消費部に熱を供給することができる。
【００１０】
また、本発明の第３の態様に係る吸収式熱交換システムは、例えば図１（図１０）に示すように、上記本発明の第１の態様又は第２の態様に係る吸収式熱交換システム１（１Ａ）において、低温熱源流体ＧＰを直接又は間接的に流動させる第１のポンプ９１と；増熱対象流体ＴＡ（ＴＳ）を直接又は間接的に流動させる第２のポンプ９２とを備える。ここで、間接的に流動させるとは、典型的には、当該部位と連通している部分の流体を動かすことで当該部位の流体を動かすことである。
【００１１】
このように構成すると、低温熱源流体及び増熱対象流体を安定して流動させることができる。
【００１２】
また、本発明の第４の態様に係る吸収式熱交換システムは、例えば図１（図１０）に示すように、上記本発明の第１の態様乃至第３の態様のいずれか１つの態様に係る吸収式熱交換システム１（１Ａ）において、低温熱源流体流路８２又は低温熱源流体流路８２と連通している流路に接続された膨張タンク９８を備える。ここで、低温熱源流体流路と連通している流路とは、典型的には低温熱源流体流路の圧力変動の影響が現れる流路である。
【００１３】
このように構成すると、低温熱源流体流路内の圧力変動を適切に緩和させることができる。
【００１４】
また、本発明の第５の態様に係る吸収式熱交換システムは、例えば図２に示すように、上記本発明の第１の態様乃至第４の態様のいずれか１つの態様に係る吸収式熱交換システムにおいて、昇温吸収ヒートポンプＸ１は、冷媒の液ＸＶｆが蒸発して冷媒の蒸気ＸＶｅとなる際に必要な蒸発潜熱を、昇温駆動熱源流体ＲＳから奪う昇温蒸発部Ｘ２０と、冷媒ＸＶｅを吸収して濃度が低下した吸収液である希溶液ＸＳｗを加熱し希溶液ＸＳｗから冷媒ＸＶｇを離脱させて濃度が上昇した濃溶液ＸＳａとするのに必要な熱を昇温駆動熱源流体ＲＳから奪う昇温再生部Ｘ３０と、濃溶液ＸＳａを導入し、昇温蒸発部Ｘ２０で発生した冷媒の蒸気ＸＶｅを濃溶液ＸＳａが吸収して希溶液ＸＳｗとなる際に放出した吸収熱によって、昇温蒸発部Ｘ２０及び昇温再生部Ｘ３０に導入される前の昇温駆動熱源流体ＲＡから分岐された一部の昇温駆動熱源流体を昇温対象流体ＲＰとして導入して昇温対象流体ＲＰを加熱する昇温吸収部Ｘ１０と、冷媒の蒸気ＸＶｇが凝縮して冷媒の液ＸＶｆとなる際に放出した凝縮熱によって低温熱源流体ＧＰを加熱する昇温凝縮部Ｘ４０とを有し、昇温凝縮部Ｘ４０で加熱された低温熱源流体ＧＰが、昇温蒸発部Ｘ２０及び昇温再生部Ｘ３０から流出した昇温駆動熱源流体ＲＳに合流するように構成されている。
【００１５】
このように構成すると、システム構成を簡単にしつつ、昇温吸収部から流出した昇温対象流体の温度を昇温蒸発部及び昇温再生部に導入される前の昇温駆動熱源流体の温度よりも高くすることができる。
【００１６】
また、本発明の第６の態様に係る吸収式熱交換システムは、例えば図１１に示すように、上記本発明の第１の態様乃至第４の態様のいずれか１つの態様に係る吸収式熱交換システムにおいて、昇温吸収ヒートポンプＸ２は、冷媒の液ＸＶｆが蒸発して冷媒の蒸気ＸＶｅとなる際に必要な蒸発潜熱を、昇温駆動熱源流体ＲＳから奪う昇温蒸発部Ｘ２０と、冷媒ＸＶｅを吸収して濃度が低下した吸収液である希溶液ＸＳｗを加熱し希溶液ＸＳｗから冷媒ＸＶｇを離脱させて濃度が上昇した濃溶液ＸＳａとするのに必要な熱を昇温駆動熱源流体ＲＳから奪う昇温再生部Ｘ３０と、昇温蒸発部Ｘ２０及び昇温再生部Ｘ３０に導入される前の昇温駆動熱源流体ＲＡから分岐された一部の昇温駆動熱源流体ＲＱを、昇温蒸発部Ｘ２０及び昇温再生部Ｘ３０をバイパスして、昇温蒸発部Ｘ２０及び昇温再生部Ｘ３０から流出した後の昇温駆動熱源流体ＲＳに合流させる昇温駆動熱源流体バイパス流路Ｘ５３と、冷媒の蒸気ＸＶｇが凝縮して冷媒の液ＸＶｆとなる際に放出した凝縮熱によって低温熱源流体ＧＰを加熱する昇温凝縮部Ｘ４０と、昇温凝縮部Ｘ４０で加熱された低温熱源流体ＧＰと、昇温駆動熱源流体バイパス流路Ｘ５３を流れる昇温駆動熱源流体ＲＱと、で熱交換させる昇温熱交換器Ｘ７１と、濃溶液ＸＳａを導入し、昇温蒸発部Ｘ２０で発生した冷媒の蒸気ＸＶｅを濃溶液ＸＳａが吸収して希溶液ＸＳｗとなる際に放出した吸収熱によって、昇温熱交換器Ｘ７１で加熱された低温熱源流体ＧＰを昇温対象流体ＲＰとして導入して昇温対象流体ＲＰを加熱する昇温吸収部Ｘ１０とを有する。
【００１７】
このように構成すると、昇温吸収部から流出する昇温対象流体の温度を、昇温蒸発部及び昇温再生部に流入する昇温駆動熱源流体の温度よりも高くすることができる。
【００１８】
また、本発明の第７の態様に係る吸収式熱交換システムは、例えば図１３に示すように、上記本発明の第１の態様乃至第４の態様のいずれか１つの態様に係る吸収式熱交換システムにおいて、昇温吸収ヒートポンプＸ２Ａは、冷媒の液ＸＶｆが蒸発して冷媒の蒸気ＸＶｅとなる際に必要な蒸発潜熱を、昇温駆動熱源流体ＲＳから奪う昇温蒸発部Ｘ２０と、冷媒ＸＶｅを吸収して濃度が低下した吸収液である希溶液ＸＳｗを加熱し希溶液ＸＳｗから冷媒ＸＶｇを離脱させて濃度が上昇した濃溶液ＸＳａとするのに必要な熱を昇温駆動熱源流体ＲＳから奪う昇温再生部Ｘ３０と、冷媒の蒸気ＸＶｇが凝縮して冷媒の液ＸＶｆとなる際に放出した凝縮熱によって低温熱源流体ＧＰを加熱する昇温凝縮部Ｘ４０と、昇温凝縮部Ｘ４０で加熱された低温熱源流体ＧＰと、昇温蒸発部Ｘ２０及び昇温再生部Ｘ３０を流出した昇温駆動熱源流体ＲＳと、で熱交換させる昇温熱交換器Ｘ７１と、濃溶液ＸＳａを導入し、昇温蒸発部Ｘ２０で発生した冷媒の蒸気ＸＶｅを濃溶液ＸＳａが吸収して希溶液ＸＳｗとなる際に放出した吸収熱によって、昇温熱交換器Ｘ７１で加熱された低温熱源流体ＧＰを昇温対象流体ＲＰとして導入して昇温対象流体ＲＰを加熱する昇温吸収部Ｘ１０とを有する。
【００１９】
このように構成すると、昇温吸収部から流出する昇温対象流体の温度を、昇温蒸発部及び昇温再生部に流入する昇温駆動熱源流体の温度よりも高くすることができる。
【００２０】
また、本発明の第８の態様に係る吸収式熱交換システムは、例えば図３に示すように、上記本発明の第１の態様乃至第７の態様のいずれか１つの態様に係る吸収式熱交換システムにおいて、増熱吸収ヒートポンプＹ１は、冷媒の蒸気ＹＶｇが凝縮して冷媒の液ＹＶｆとなる際に放出した凝縮熱によって増熱対象流体ＴＳを加熱する増熱凝縮部Ｙ４０と、増熱凝縮部Ｙ４０から冷媒の液ＹＶｆを導入し、導入した冷媒の液ＹＶｆが蒸発して冷媒の蒸気ＹＶｅとなる際に必要な蒸発潜熱を低温熱源流体ＧＰから奪う増熱蒸発部Ｙ２０と、増熱蒸発部Ｙ２０から冷媒の蒸気ＹＶｅを導入し、導入した冷媒の蒸気ＹＶｅを吸収液が吸収して濃度が低下した希溶液ＹＳｗとなる際に放出した吸収熱によって増熱対象流体ＴＳを加熱する増熱吸収部Ｙ１０と、増熱吸収部Ｙ１０から希溶液ＹＳｗを導入し、導入した希溶液ＹＳｗを加熱し希溶液ＹＳｗから冷媒ＹＶｇを離脱させて濃度が上昇した濃溶液ＹＳａとするのに必要な熱を、増熱駆動熱源流体ＨＰから奪う増熱再生部Ｙ３０とを有し、増熱凝縮部Ｙ４０及び増熱吸収部Ｙ１０に導入される前の増熱対象流体ＴＡから分岐された一部の増熱対象流体を低温熱源流体ＧＰとして増熱蒸発部Ｙ２０に導入するように構成され；増熱再生部Ｙ３０で熱を奪われた増熱駆動熱源流体ＨＰが、増熱吸収部Ｙ１０及び増熱凝縮部Ｙ４０から流出した増熱対象流体ＴＳに合流するように構成されている。
【００２１】
このように構成すると、増熱蒸発部から流出した低温熱源流体の温度を低くすることができ、増熱吸収ヒートポンプの出力を増大させることができる。
【００２２】
また、本発明の第９の態様に係る吸収式熱交換システムは、例えば図１２に示すように、上記本発明の第１の態様乃至第７の態様のいずれか１つの態様に係る吸収式熱交換システムにおいて、増熱吸収ヒートポンプＹ２は、冷媒の蒸気ＹＶｇが凝縮して冷媒の液ＹＶｆとなる際に放出した凝縮熱によって増熱対象流体ＴＳを加熱する増熱凝縮部Ｙ４０と、増熱凝縮部Ｙ４０から冷媒の液ＹＶｆを導入し、導入した冷媒の液ＹＶｆが蒸発して冷媒の蒸気ＹＶｅとなる際に必要な蒸発潜熱を低温熱源流体ＧＰから奪う増熱蒸発部Ｙ２０と、増熱蒸発部Ｙ２０から冷媒の蒸気ＹＶｅを導入し、導入した冷媒の蒸気ＹＶｅを吸収液が吸収して濃度が低下した希溶液ＹＳｗとなる際に放出した吸収熱によって増熱対象流体ＴＳを加熱する増熱吸収部Ｙ１０と、増熱吸収部Ｙ１０から希溶液ＹＳｗを導入し、導入した希溶液ＹＳｗを加熱し希溶液ＹＳｗから冷媒ＹＶｇを離脱させて濃度が上昇した濃溶液ＹＳａとするのに必要な熱を、増熱駆動熱源流体ＨＰから奪う増熱再生部Ｙ３０と、増熱吸収部Ｙ１０及び増熱凝縮部Ｙ４０から流出した増熱対象流体ＴＳと、増熱再生部Ｙ３０で熱を奪われた増熱駆動熱源流体ＨＰと、で熱交換させる増熱熱交換器Ｙ７２とを有し、増熱熱交換器Ｙ７２を流出した増熱駆動熱源流体ＨＰを低温熱源流体ＧＰとして増熱蒸発部Ｙ２０に導入するように構成されている。
【００２３】
このように構成すると、増熱吸収ヒートポンプに導入した昇温対象流体が保有する熱を有効利用して熱消費装置に熱を供給することができる。
【００２４】
また、本発明の第１０の態様に係る吸収式熱交換システムは、例えば図４に示すように、上記本発明の第１の態様乃至第９の態様のいずれか１つの態様に係る吸収式熱交換システム２において、増熱吸収ヒートポンプＹ１は、第１の熱消費部ＨＣＦ１に向けて増熱対象流体ＴＡを流出する第１の増熱吸収ヒートポンプＹ１Ａと、第１の熱消費部ＨＣＦ１とは別の第２の熱消費部ＨＣＦ２に向けて増熱対象流体ＴＡを流出する第２の増熱吸収ヒートポンプＹ１Ｂとを含んで構成されている。
【００２５】
このように構成すると、複数の熱消費部に増熱対象流体を供給することができる。
【００２６】
また、本発明の第１１の態様に係る吸収式熱交換システムは、例えば図５に示すように、上記本発明の第８の態様又は第９の態様に係る吸収式熱交換システム３において、増熱吸収ヒートポンプＹ１Ｃは、増熱再生部Ｙ３０から流出した増熱駆動熱源流体ＨＰを、熱を消費する第１の追加熱消費部ＨＣＦＡに向けて増熱吸収ヒートポンプＹ１Ｃの外に一旦流出する第１の増熱駆動熱源流体流出部Ｙ３９ａと、増熱駆動熱源流体ＨＰが保有する熱が第１の追加消費部ＨＣＦＡで消費された増熱駆動熱源流体ＨＰを導入する第１の増熱駆動熱源流体導入部Ｙ３９ｂとを有する。
【００２７】
このように構成すると、熱消費部の特性に応じて熱を効率よく消費することができる。
【００２８】
また、本発明の第１２の態様に係る吸収式熱交換システムは、例えば図６に示すように、上記本発明の第８の態様又は第９の態様に係る吸収式熱交換システム４において、増熱吸収ヒートポンプＹ１は、増熱再生部Ｙ３０に導入される前の増熱駆動熱源流体ＨＰから分岐された一部の増熱駆動熱源流体ＨＰを、熱を消費する第２の追加熱消費部ＨＣＦＡに向けて増熱吸収ヒートポンプＹ１の外に一旦流出する第２の増熱駆動熱源流体流出部４８７と、増熱駆動熱源流体ＨＰが保有する熱が第２の追加消費部ＨＣＦＡで消費された増熱駆動熱源流体ＨＰを導入する第２の増熱駆動熱源流体導入部４８８とを有する。
【００２９】
このように構成すると、熱消費部の特性に応じて熱を効率よく消費することができる。
【００３０】
また、本発明の第１３の態様に係る吸収式熱交換システムは、例えば図７に示すように、上記本発明の第１の態様乃至第１２の態様のいずれか１つの態様に係る吸収式熱交換システム５において、昇温吸収ヒートポンプＸ１に導入される前の低温熱源流体ＧＰから分岐された一部の低温熱源流体ＧＰを第１の副熱源ＡＳで加熱する第１の副熱装置６１を備え；第１の副熱装置６１で加熱された低温熱源流体ＧＰを昇温対象流体ＲＰに合流させるように構成されている。
【００３１】
このように構成すると、第１の副熱装置から熱を回収することができ、省エネルギーとなる。
【００３２】
また、本発明の第１４の態様に係る吸収式熱交換システムは、例えば図８に示すように、上記本発明の第１の態様乃至第１３の態様のいずれか１つの態様に係る吸収式熱交換システム６において、昇温吸収ヒートポンプＸ１で加熱された昇温対象流体ＲＰを第２の副熱源ＡＳで加熱する第２の副熱装置６１を備える。
【００３３】
このように構成すると、第２の副熱装置から熱を回収することができ、昇温対象流体が放熱により失った温度を回復することができる。
【００３４】
また、本発明の第１５の態様に係る吸収式熱交換システムは、例えば図９に示すように、上記本発明の第１の態様乃至第１４の態様のいずれか１つの態様に係る吸収式熱交換システム７において、昇温吸収ヒートポンプＸ１は、第１の熱供給部ＨＳＦ１から昇温駆動熱源流体ＲＡを導入する第１の昇温吸収ヒートポンプＸ１Ａと、第１の熱供給部ＨＳＦ１とは別の第２の熱供給部ＨＳＦ２から昇温駆動熱源流体ＲＡを導入する第２の昇温吸収ヒートポンプＸ１Ｂとを含んで構成されている。
【００３５】
このように構成すると、複数の熱供給部から熱を回収することができる。
【発明の効果】
【００３６】
本発明によれば、昇温吸収ヒートポンプに導入される昇温駆動熱源流体よりも温度を上昇させた昇温対象流体が保有する熱によって増熱された増熱対象流体を熱消費部に供給することができ、熱消費部と熱供給部とが離れている場合に昇温対象流体と低温熱源流体との温度差を大きくし両者の流量を少なくして流体搬送に要するエネルギーを削減することができる。
【図面の簡単な説明】
【００３７】
【図１】本発明の第１の実施の形態に係る吸収式熱交換システムの模式的系統図である。
【図２】本発明の第１の実施の形態に係る吸収式熱交換システムが備える昇温吸収ヒートポンプの模式的系統図である。
【図３】本発明の第１の実施の形態に係る吸収式熱交換システムが備える増熱吸収ヒートポンプの模式的系統図である。
【図４】本発明の第２の実施の形態に係る吸収式熱交換システムの模式的系統図である。
【図５】本発明の第３の実施の形態に係る吸収式熱交換システムの模式的系統図である。
【図６】本発明の第４の実施の形態に係る吸収式熱交換システムの模式的系統図である。
【図７】本発明の第５の実施の形態に係る吸収式熱交換システムの模式的系統図である。
【図８】本発明の第６の実施の形態に係る吸収式熱交換システムの模式的系統図である。
【図９】本発明の第７の実施の形態に係る吸収式熱交換システムの模式的系統図である。
【図１０】本発明の第１の実施の形態の変形例に係る吸収式熱交換システムの模式的系統図である。
【図１１】本発明の第１の実施の形態の変形例に係る吸収式熱交換システムが備える昇温吸収ヒートポンプの模式的系統図である。
【図１２】本発明の第１の実施の形態の変形例に係る吸収式熱交換システムが備える増熱吸収ヒートポンプの模式的系統図である。
【図１３】本発明の第１の実施の形態の変形例に係る吸収式熱交換システムが備える昇温吸収ヒートポンプの変形例の模式的系統図である。
【発明を実施するための形態】
【００３８】
以下、図面を参照して本発明の実施の形態について説明する。なお、各図において互いに同一又は相当する部材には同一あるいは類似の符号を付し、重複した説明は省略する。
【００３９】
まず図１を参照して、本発明の第１の実施の形態に係る吸収式熱交換システム１を説明する。図１は、吸収式熱交換システム１の模式的系統図である。吸収式熱交換システム１は、熱源設備ＨＳＦで回収した熱を、この熱を保有する熱媒体を昇温及び増熱したうえで、熱利用設備ＨＣＦで利用するためのシステムである。熱源設備ＨＳＦは、例えば製鉄所や発電所等からの排熱を回収する設備であり、熱供給部に相当する。熱利用設備ＨＣＦは、例えば導入した熱を暖房に利用する設備であり、熱消費部に相当する。吸収式熱交換システム１は、熱源設備ＨＳＦで回収した熱を保有する熱媒体を昇温する昇温吸収ヒートポンプＸ１と、昇温吸収ヒートポンプＸ１で昇温された熱媒体を増熱する増熱吸収ヒートポンプＹ１と、昇温吸収ヒートポンプＸ１と増熱吸収ヒートポンプＹ１との間で流体を連絡する昇温流体管８１及び低温熱源管８２とを備えている。
【００４０】
昇温吸収ヒートポンプＸ１は、吸収液と冷媒との吸収ヒートポンプサイクルによって作動し、冷媒の蒸発圧力が凝縮圧力よりも高い熱源機器である。昇温吸収ヒートポンプＸ１の構成は後述する。昇温吸収ヒートポンプＸ１は、熱源流体流入口Ｘ５６と、昇温流体流出口Ｘ１８と、低温熱源導入口Ｘ１７と、熱源流体流出口Ｘ５８とを有している。熱源流体流入口Ｘ５６は、熱源設備ＨＳＦで加熱された合流熱源流体ＲＡを導入する部位であり、昇温駆動熱源流体流入部に相当する。昇温流体流出口Ｘ１８は、昇温吸収ヒートポンプＸ１で昇温された昇温対象流体ＲＰを流出する部位である。低温熱源導入口Ｘ１７は、増熱吸収ヒートポンプＹ１から流出した低温熱源流体ＧＰを導入する部位である。熱源流体流出口Ｘ５８は、熱源流体流入口Ｘ５６から導入したものよりも温度が低い合流熱源流体ＲＡを流出する部位であり、昇温駆動熱源流体流出部に相当する。本実施の形態では、熱源流体流入口Ｘ５６と熱源設備ＨＳＦとが合流熱源往管８４で接続されている。また、熱源流体流出口Ｘ５８と熱源設備ＨＳＦとが合流熱源還管８５で接続されている。合流熱源還管８５には、合流熱源流体ＲＡを流動させる合流熱源ポンプ９３が配設されている。
【００４１】
増熱吸収ヒートポンプＹ１は、吸収液と冷媒との吸収ヒートポンプサイクルによって作動し、冷媒の蒸発圧力が凝縮圧力よりも低い熱源機器である。増熱吸収ヒートポンプＹ１の構成は後述する。増熱吸収ヒートポンプＹ１は、高温熱源導入口Ｙ２７と、混合流体流出口Ｙ５８と、混合流体流入口Ｙ５６と、低温熱源流出口Ｙ２８とを有している。高温熱源導入口Ｙ２７は、昇温吸収ヒートポンプＸ１から流出した昇温対象流体ＲＰを高温熱源流体ＨＰとして導入する部位である。混合流体流出口Ｙ５８は、増熱吸収ヒートポンプＹ１で増熱された混合流体ＴＡを流出する部位であり、増熱対象流体流出部に相当する。混合流体流入口Ｙ５６は、熱利用設備ＨＣＦで温度が低下した混合流体ＴＡを導入する部位であり、増熱対象流体導入部に相当する。低温熱源流出口Ｙ２８は、増熱吸収ヒートポンプＹ１で熱が利用された低温熱源流体ＧＰを流出する部位である。本実施の形態では、混合流体流出口Ｙ５８と熱利用設備ＨＣＦとが混合熱源往管８７で接続されている。また、混合流体流入口Ｙ５６と熱利用設備ＨＣＦとが混合熱源還管８８で接続されている。混合熱源還管８８には、混合流体ＴＡを流動させる混合流体ポンプ９２が配設されている。混合流体ポンプ９２は、第２のポンプに相当する。
【００４２】
昇温流体管８１は、昇温吸収ヒートポンプＸ１の昇温流体流出口Ｘ１８と増熱吸収ヒートポンプＹ１の高温熱源導入口Ｙ２７とを連絡している。昇温流体管８１は、昇温吸収ヒートポンプＸ１で加熱された昇温対象流体ＲＰを増熱吸収ヒートポンプＹ１に導く流路を構成する管であり、昇温対象流体流路に相当する。低温熱源管８２は、増熱吸収ヒートポンプＹ１の低温熱源流出口Ｙ２８と昇温吸収ヒートポンプＸ１の低温熱源導入口Ｘ１７とを連絡している。低温熱源管８２は、増熱吸収ヒートポンプＹ１で利用されて増熱吸収ヒートポンプＹ１から流出した低温熱源流体ＧＰを、昇温吸収ヒートポンプＸ１に導く流路を構成する管であり、低温熱源流体流路に相当する。低温熱源管８２には、低温熱源流体ＧＰを流動させる低温熱源ポンプ９１が配設されている。低温熱源ポンプ９１は、第１のポンプに相当する。各ポンプ９１、９２、９３は、キャビテーション防止の観点から、各系統で温度が最も低くなる位置に配置するのが好ましい。この観点から、昇温流体管８１内を流れる昇温対象流体ＲＰの温度よりも低い温度の低温熱源流体ＧＰが流れる低温熱源管８２に低温熱源ポンプ９１を設け、混合熱源往管８７を流れる混合流体ＴＡの温度よりも低い温度の混合流体ＴＡが流れる混合熱源還管８８に混合流体ポンプ９２を設け、合流熱源往管８４を流れる合流熱源流体ＲＡの温度よりも低い温度の合流熱源流体ＲＡが流れる合流熱源還管８５に合流熱源ポンプ９３を設けている。さらに、各ポンプ９１、９２、９３は、各配管の中で高さが低い位置に設けられているとよい。また、本実施の形態では、低温熱源管８２に、膨張タンク９８が接続されている。吸収式熱交換システム１では、温度変化のある昇温対象流体ＲＰ等の被加熱流体及び駆動熱源流体ＲＳ等の加熱源流体が全体として連通しているので、膨張タンク９８は１つ設ければ足りるが、複数設けてもよい。本実施の形態では、膨張タンク９８は、循環系統の中で管内を流れる流体の温度が低く、圧力も低くなる、低温熱源ポンプ９１の吸い込み部に設けられて、連通している配管の全体の圧力を調整している。膨張タンク９８は、状況に応じて、密閉式又は開放式の適切な方を用いることができる。引き続き、吸収式熱交換システム１を構成する昇温吸収ヒートポンプＸ１及び増熱吸収ヒートポンプＹ１の詳細な構成を説明する。
【００４３】
図２は、昇温吸収ヒートポンプＸ１の模式的系統図である。昇温吸収ヒートポンプＸ１は、吸収液ＸＳ（ＸＳａ、ＸＳｗ）と冷媒ＸＶ（ＸＶｅ、ＸＶｇ、ＸＶｆ）との吸収ヒートポンプサイクルが行われる主要機器を構成する吸収器Ｘ１０、蒸発器Ｘ２０、再生器Ｘ３０、凝縮器Ｘ４０を備えている。吸収器Ｘ１０、蒸発器Ｘ２０、再生器Ｘ３０、凝縮器Ｘ４０は、それぞれ、昇温吸収部、昇温蒸発部、昇温再生部、昇温凝縮部に相当する。
【００４４】
本明細書においては、昇温吸収ヒートポンプＸ１における吸収液に関し、ヒートポンプサイクル上における区別を容易にするために、性状やヒートポンプサイクル上の位置に応じて「希溶液ＸＳｗ」や「濃溶液ＸＳａ」等と呼称するが、性状等を不問にするときは総称して「吸収液ＸＳ」ということとする。同様に、昇温吸収ヒートポンプＸ１における冷媒に関し、ヒートポンプサイクル上における区別を容易にするために、性状やヒートポンプサイクル上の位置に応じて「蒸発器冷媒蒸気ＸＶｅ」、「再生器冷媒蒸気ＸＶｇ」、「冷媒液ＸＶｆ」等と呼称するが、性状等を不問にするときは総称して「冷媒ＸＶ」ということとする。本実施の形態では、吸収液ＸＳ（吸収剤と冷媒ＸＶとの混合物）としてＬｉＢｒ水溶液が用いられており、冷媒ＸＶとして水（Ｈ２Ｏ）が用いられている。
【００４５】
吸収器Ｘ１０は、昇温対象流体ＲＰの流路を構成する伝熱管Ｘ１２と、濃溶液ＸＳａを伝熱管Ｘ１２の表面に供給する濃溶液供給装置Ｘ１３とを内部に有している。伝熱管Ｘ１２は、一端に昇温流体導入管Ｘ５１が接続され、他端に昇温流体流出管Ｘ１９が接続されている。昇温流体導入管Ｘ５１は、昇温対象流体ＲＰを伝熱管Ｘ１２に導く流路を構成する管である。昇温流体導入管Ｘ５１には、内部を流れる昇温対象流体ＲＰの流量を調節する昇温流体弁Ｘ５１ｖが設けられている。昇温流体流出管Ｘ１９は、吸収器Ｘ１０で加熱された昇温対象流体ＲＰを流す流路を構成する管である。昇温流体流出管Ｘ１９の他端は、昇温流体流出口Ｘ１８となっている。吸収器Ｘ１０は、濃溶液供給装置Ｘ１３から濃溶液ＸＳａが伝熱管Ｘ１２の表面に供給され、濃溶液ＸＳａが蒸発器冷媒蒸気ＸＶｅを吸収して希溶液ＸＳｗとなる際に吸収熱を発生させる。この吸収熱を、伝熱管Ｘ１２を流れる昇温対象流体ＲＰが受熱して、昇温対象流体ＲＰが加熱されるように構成されている。
【００４６】
蒸発器Ｘ２０は、駆動熱源流体ＲＳの流路を構成する熱源管Ｘ２２を、蒸発器缶胴Ｘ２１の内部に有している。蒸発器Ｘ２０は、蒸発器缶胴Ｘ２１の内部に冷媒液ＸＶｆを散布するノズルを有していない。このため、熱源管Ｘ２２は、蒸発器缶胴Ｘ２１内に貯留された冷媒液ＸＶｆに浸かるように配設されている（満液式蒸発器）。熱源管Ｘ２２の一端には、駆動熱源導入管Ｘ５２が接続されている。駆動熱源導入管Ｘ５２は、駆動熱源流体ＲＳを熱源管Ｘ２２に導く流路を構成する管である。駆動熱源導入管Ｘ５２には、内部を流れる駆動熱源流体ＲＳの流量を調節する駆動熱源弁Ｘ５２ｖが設けられている。駆動熱源導入管Ｘ５２の他端は、昇温流体導入管Ｘ５１の他端と共に、熱源流体流入管Ｘ５５に接続されている。熱源流体流入管Ｘ５５は、合流熱源流体ＲＡが流れる流路を構成する管である。熱源流体流入管Ｘ５５の他端は、熱源流体流入口Ｘ５６となっている。熱源流体流入管Ｘ５５を流れる合流熱源流体ＲＡは、分流して、昇温流体導入管Ｘ５１と駆動熱源導入管Ｘ５２とに流入するように構成されている。つまり、昇温対象流体ＲＰは、合流熱源流体ＲＡのうちの昇温流体導入管Ｘ５１に流入したものであり、駆動熱源流体ＲＳは、合流熱源流体ＲＡのうちの駆動熱源導入管Ｘ５２に流入したものである。蒸発器Ｘ２０は、熱源管Ｘ２２周辺の冷媒液ＸＶｆが熱源管Ｘ２２内を流れる駆動熱源流体ＲＳの熱で蒸発して蒸発器冷媒蒸気ＸＶｅが発生するように構成されている。蒸発器缶胴Ｘ２１には、蒸発器缶胴Ｘ２１内に冷媒液ＸＶｆを供給する冷媒液管Ｘ４５が接続されている。
【００４７】
吸収器Ｘ１０と蒸発器Ｘ２０とは、相互に連通している。吸収器Ｘ１０と蒸発器Ｘ２０とが連通することにより、蒸発器Ｘ２０で発生した蒸発器冷媒蒸気ＸＶｅを吸収器Ｘ１０に供給することができるように構成されている。
【００４８】
再生器Ｘ３０は、希溶液ＸＳｗを加熱する駆動熱源流体ＲＳを内部に流す熱源管Ｘ３２と、希溶液ＸＳｗを熱源管Ｘ３２の表面に供給する希溶液供給装置Ｘ３３とを有している。熱源管Ｘ３２内を流れる駆動熱源流体ＲＳは、蒸発器Ｘ２０の熱源管Ｘ２２内を流れた後の駆動熱源流体ＲＳとなっている。蒸発器Ｘ２０の熱源管Ｘ２２と再生器Ｘ３０の熱源管Ｘ３２とは、駆動熱源流体ＲＳを流す駆動熱源連絡管Ｘ２５で接続されている。再生器Ｘ３０の熱源管Ｘ３２の駆動熱源連絡管Ｘ２５が接続された端部とは反対側の端部には、駆動熱源流出管Ｘ３９が接続されている。駆動熱源流出管Ｘ３９は、駆動熱源流体ＲＳを再生器Ｘ３０の外へ導く流路を構成する管である。再生器Ｘ３０は、希溶液供給装置Ｘ３３から供給された希溶液ＸＳｗが駆動熱源流体ＲＳに加熱されることにより、希溶液ＸＳｗから冷媒ＸＶが蒸発して濃度が上昇した濃溶液ＸＳａが生成されるように構成されている。希溶液ＸＳｗから蒸発した冷媒ＸＶは再生器冷媒蒸気ＸＶｇとして凝縮器Ｘ４０に移動するように構成されている。
【００４９】
凝縮器Ｘ４０は、低温熱源流体ＧＰが流れる伝熱管Ｘ４２を凝縮器缶胴Ｘ４１の内部に有している。伝熱管Ｘ４２の一端には、低温熱源流体ＧＰを伝熱管Ｘ４２に導く流路を構成する低温熱源導入管Ｘ５７が接続されている。低温熱源導入管Ｘ５７の他端は、低温熱源導入口Ｘ１７となっている。伝熱管Ｘ４２の他端には、凝縮器Ｘ４０から流出した低温熱源流体ＧＰを流す流路を構成する低温熱源流出管Ｘ４９の一端が接続されている。低温熱源流出管Ｘ４９の他端は、駆動熱源流出管Ｘ３９の他端と共に、熱源流体流出管Ｘ５９に接続されている。熱源流体流出管Ｘ５９は、駆動熱源流出管Ｘ３９を流れる駆動熱源流体ＲＳと、低温熱源流出管Ｘ４９を流れる低温熱源流体ＧＰと、が合流した合流熱源流体ＲＡが流れる流路を構成する管である。熱源流体流出管Ｘ５９の他端は、熱源流体流出口Ｘ５８となっている。凝縮器Ｘ４０は、再生器Ｘ３０で発生した再生器冷媒蒸気ＸＶｇを導入し、これが凝縮して冷媒液ＸＶｆとなる際に放出した凝縮熱を、伝熱管Ｘ４２内を流れる低温熱源流体ＧＰが受熱して、低温熱源流体ＧＰが加熱されるように構成されている。再生器Ｘ３０と凝縮器Ｘ４０とは、相互に連通するように、再生器Ｘ３０の缶胴と凝縮器缶胴Ｘ４１とが一体に形成されている。再生器Ｘ３０と凝縮器Ｘ４０とが連通することにより、再生器Ｘ３０で発生した再生器冷媒蒸気ＸＶｇを凝縮器Ｘ４０に供給することができるように構成されている。
【００５０】
再生器Ｘ３０の濃溶液ＸＳａが貯留される部分と吸収器Ｘ１０の濃溶液供給装置Ｘ１３とは、濃溶液ＸＳａを流す濃溶液管Ｘ３５で接続されている。濃溶液管Ｘ３５には、濃溶液ＸＳａを圧送する溶液ポンプＸ３５ｐが配設されている。吸収器Ｘ１０の希溶液ＸＳｗが貯留される部分と希溶液供給装置Ｘ３３とは、希溶液ＸＳｗを流す希溶液管Ｘ３６で接続されている。濃溶液管Ｘ３５及び希溶液管Ｘ３６には、濃溶液ＸＳａと希溶液ＸＳｗとの間で熱交換を行わせる溶液熱交換器Ｘ３８が配設されている。凝縮器Ｘ４０の冷媒液ＸＶｆが貯留される部分と蒸発器缶胴Ｘ２１とは、冷媒液ＸＶｆを流す冷媒液管Ｘ４５で接続されている。冷媒液管Ｘ４５には、冷媒液ＸＶｆを圧送する冷媒ポンプＸ４６が配設されている。
【００５１】
昇温吸収ヒートポンプＸ１は、定常運転中、吸収器Ｘ１０の内部の圧力及び温度は再生器Ｘ３０の内部の圧力及び温度よりも高くなり、蒸発器Ｘ２０の内部の圧力及び温度は凝縮器Ｘ４０の内部の圧力及び温度よりも高くなる。したがって、前述のように、冷媒ＸＶの蒸発圧力が凝縮圧力よりも高くなる。昇温吸収ヒートポンプＸ１は、吸収器Ｘ１０、蒸発器Ｘ２０、再生器Ｘ３０、凝縮器Ｘ４０が、第２種吸収ヒートポンプの構成となっている。
【００５２】
次に図３を参照して、増熱吸収ヒートポンプＹ１の詳細な構成を説明する。図３は、増熱吸収ヒートポンプＹ１の模式的系統図である。増熱吸収ヒートポンプＹ１は、吸収液ＹＳ（ＹＳａ、ＹＳｗ）と冷媒ＹＶ（ＹＶｅ、ＹＶｇ、ＹＶｆ）との吸収ヒートポンプサイクルが行われる主要機器を構成する吸収器Ｙ１０、蒸発器Ｙ２０、再生器Ｙ３０、及び凝縮器Ｙ４０を備えている。吸収器Ｙ１０、蒸発器Ｙ２０、再生器Ｙ３０、凝縮器Ｙ４０は、それぞれ、増熱吸収部、増熱蒸発部、増熱再生部、増熱凝縮部に相当する。
【００５３】
本明細書においては、増熱吸収ヒートポンプＹ１における吸収液に関し、ヒートポンプサイクル上における区別を容易にするために、性状やヒートポンプサイクル上の位置に応じて「希溶液ＹＳｗ」や「濃溶液ＹＳａ」等と呼称するが、性状等を不問にするときは総称して「吸収液ＹＳ」ということとする。同様に、増熱吸収ヒートポンプＹ１における冷媒に関し、ヒートポンプサイクル上における区別を容易にするために、性状やヒートポンプサイクル上の位置に応じて「蒸発器冷媒蒸気ＹＶｅ」、「再生器冷媒蒸気ＹＶｇ」、「冷媒液ＹＶｆ」等と呼称するが、性状等を不問にするときは総称して「冷媒ＹＶ」ということとする。本実施の形態では、吸収液ＹＳ（吸収剤と冷媒ＹＶとの混合物）としてＬｉＢｒ水溶液が用いられており、冷媒ＹＶとして水（Ｈ２Ｏ）が用いられている。
【００５４】
吸収器Ｙ１０は、増熱対象流体ＴＳの流路を構成する伝熱管Ｙ１２と、濃溶液ＹＳａを伝熱管Ｙ１２の表面に供給する濃溶液供給装置Ｙ１３とを内部に有している。伝熱管Ｙ１２は、一端に増熱流体導入管Ｙ５１が接続され、他端に増熱流体連絡管Ｙ１５が接続されている。増熱流体導入管Ｙ５１は、増熱対象流体ＴＳを伝熱管Ｙ１２に導く流路を構成する管である。増熱流体導入管Ｙ５１には、内部を流れる増熱対象流体ＴＳの流量を調節する増熱流体弁Ｙ５１ｖが設けられている。増熱流体連絡管Ｙ１５は、吸収器Ｙ１０で加熱された増熱対象流体ＴＳを凝縮器Ｙ４０へ導く流路を構成する管である。吸収器Ｙ１０は、濃溶液供給装置Ｙ１３から濃溶液ＹＳａが伝熱管Ｙ１２の表面に供給され、濃溶液ＹＳａが蒸発器冷媒蒸気ＹＶｅを吸収して希溶液ＹＳｗとなる際に吸収熱を発生させる。この吸収熱を、伝熱管Ｙ１２を流れる増熱対象流体ＴＳが受熱して、増熱対象流体ＴＳが加熱されるように構成されている。
【００５５】
蒸発器Ｙ２０は、低温熱源流体ＧＰの流路を構成する熱源管Ｙ２２と、冷媒液ＹＶｆを熱源管Ｙ２２の表面に供給する冷媒液供給装置Ｙ２３とを、蒸発器缶胴Ｙ２１の内部に有している。熱源管Ｙ２２の一端には、低温熱源流入管Ｙ５２が接続されている。低温熱源流入管Ｙ５２は、低温熱源流体ＧＰを熱源管Ｙ２２に導く流路を構成する管である。低温熱源流入管Ｙ５２には、内部を流れる低温熱源流体ＧＰの流量を調節する低温熱源弁Ｙ５２ｖが設けられている。低温熱源流入管Ｙ５２の他端は、増熱流体導入管Ｙ５１の他端と共に、混合流体流入管Ｙ５５に接続されている。混合流体流入管Ｙ５５は、混合流体ＴＡが流れる流路を構成する管である。混合流体流入管Ｙ５５の他端は、混合流体流入口Ｙ５６となっている。混合流体流入管Ｙ５５を流れる混合流体ＴＡは、分流して、増熱流体導入管Ｙ５１と低温熱源流入管Ｙ５２とに流入するように構成されている。つまり、増熱対象流体ＴＳは、混合流体ＴＡのうちの増熱流体導入管Ｙ５１に流入したものであり、低温熱源流体ＧＰは、混合流体ＴＡのうちの低温熱源流入管Ｙ５２に流入したものである。熱源管Ｙ２２の低温熱源流入管Ｙ５２が接続された端部とは反対側の端部には、低温熱源流出管Ｙ２９が接続されている。低温熱源流出管Ｙ２９は、低温熱源流体ＧＰを蒸発器Ｙ２０の外へ導く流路を構成する管である。低温熱源流出管Ｙ２９の他端は、低温熱源流出口Ｙ２８となっている。蒸発器Ｙ２０は、冷媒液供給装置Ｙ２３から冷媒液ＹＶｆが熱源管Ｙ２２の表面に供給され、熱源管Ｙ２２周辺の冷媒液ＹＶｆが熱源管Ｙ２２内を流れる低温熱源流体ＧＰの熱で蒸発して蒸発器冷媒蒸気ＹＶｅが発生するように構成されている。
【００５６】
吸収器Ｙ１０と蒸発器Ｙ２０とは、相互に連通している。吸収器Ｙ１０と蒸発器Ｙ２０とが連通することにより、蒸発器Ｙ２０で発生した蒸発器冷媒蒸気ＹＶｅを吸収器Ｙ１０に供給することができるように構成されている。
【００５７】
再生器Ｙ３０は、希溶液ＹＳｗを加熱する高温熱源流体ＨＰを内部に流す熱源管Ｙ３２と、希溶液ＹＳｗを熱源管Ｙ３２の表面に供給する希溶液供給装置Ｙ３３とを有している。熱源管Ｙ３２の一端には、高温熱源流体ＨＰを熱源管Ｙ３２に導く流路を構成する高温熱源導入管Ｙ５７が接続されている。高温熱源導入管Ｙ５７の他端は、高温熱源導入口Ｙ２７となっている。熱源管Ｙ３２の他端には、再生器Ｙ３０から流出した高温熱源流体ＨＰを流す流路を構成する高温熱源流出管Ｙ３９の一端が接続されている。再生器Ｙ３０は、希溶液供給装置Ｙ３３から供給された希溶液ＹＳｗが高温熱源流体ＨＰに加熱されることにより、希溶液ＹＳｗから冷媒ＹＶが蒸発して濃度が上昇した濃溶液ＹＳａが生成されるように構成されている。希溶液ＹＳｗから蒸発した冷媒ＹＶは再生器冷媒蒸気ＹＶｇとして凝縮器Ｙ４０に移動するように構成されている。
【００５８】
凝縮器Ｙ４０は、増熱対象流体ＴＳが流れる伝熱管Ｙ４２を凝縮器缶胴Ｙ４１の内部に有している。伝熱管Ｙ４２を流れる増熱対象流体ＴＳは、吸収器Ｙ１０の伝熱管Ｙ１２を流れた後の増熱対象流体ＴＳとなっている。吸収器Ｙ１０の伝熱管Ｙ１２と凝縮器Ｙ４０の伝熱管Ｙ４２とは、増熱対象流体ＴＳを流す増熱流体連絡管Ｙ１５で接続されている。凝縮器Ｙ４０の伝熱管Ｙ４２の増熱流体連絡管Ｙ１５が接続された端部とは反対側の端部には、増熱流体流出管Ｙ４９が接続されている。増熱流体流出管Ｙ４９は、増熱対象流体ＴＳを凝縮器Ｙ４０の外へ導く流路を構成する管である。増熱流体流出管Ｙ４９の他端は、高温熱源流出管Ｙ３９の他端と共に、混合流体流出管Ｙ５９に接続されている。混合流体流出管Ｙ５９は、高温熱源流出管Ｙ３９を流れる高温熱源流体ＨＰと、増熱流体流出管Ｙ４９を流れる増熱対象流体ＴＳと、が合流した混合流体ＴＡが流れる流路を構成する管である。混合流体流出管Ｙ５９の他端は、混合流体流出口Ｙ５８となっている。凝縮器Ｙ４０は、再生器Ｙ３０で発生した再生器冷媒蒸気ＹＶｇを導入し、これが凝縮して冷媒液ＹＶｆとなる際に放出した凝縮熱を、伝熱管Ｙ４２内を流れる増熱対象流体ＴＳが受熱して、増熱対象流体ＴＳが加熱されるように構成されている。再生器Ｙ３０と凝縮器Ｙ４０とは、相互に連通するように、再生器Ｙ３０の缶胴と凝縮器缶胴Ｙ４１とが一体に形成されている。再生器Ｙ３０と凝縮器Ｙ４０とが連通することにより、再生器Ｙ３０で発生した再生器冷媒蒸気ＹＶｇを凝縮器Ｙ４０に供給することができるように構成されている。
【００５９】
再生器Ｙ３０の濃溶液ＹＳａが貯留される部分と吸収器Ｙ１０の濃溶液供給装置Ｙ１３とは、濃溶液ＹＳａを流す濃溶液管Ｙ３５で接続されている。吸収器Ｙ１０の希溶液ＹＳｗが貯留される部分と希溶液供給装置Ｙ３３とは、希溶液ＹＳｗを流す希溶液管Ｙ３６で接続されている。希溶液管Ｙ３６には、希溶液ＹＳｗを圧送する溶液ポンプＹ３６ｐが配設されている。濃溶液管Ｙ３５及び希溶液管Ｙ３６には、濃溶液ＹＳａと希溶液ＹＳｗとの間で熱交換を行わせる溶液熱交換器Ｙ３８が配設されている。凝縮器Ｙ４０の冷媒液ＹＶｆが貯留される部分と冷媒液供給装置Ｙ２３とは、冷媒液ＹＶｆを流す冷媒液管Ｙ４５で接続されている。
【００６０】
増熱吸収ヒートポンプＹ１は、定常運転中、吸収器Ｙ１０の内部の圧力及び温度は再生器Ｙ３０の内部の圧力及び温度よりも低くなり、蒸発器Ｙ２０の内部の圧力及び温度は凝縮器Ｙ４０の内部の圧力及び温度よりも低くなる。したがって、前述のように、冷媒ＸＶの蒸発圧力が凝縮圧力よりも低くなる。増熱吸収ヒートポンプＹ１は、吸収器Ｙ１０、蒸発器Ｙ２０、再生器Ｙ３０、凝縮器Ｙ４０が、第１種吸収ヒートポンプの構成となっている。
【００６１】
また、図１乃至図３を参照して補足すると、凝縮器Ｘ４０の伝熱管Ｘ４２、熱源設備ＨＳＦ、吸収器Ｘ１０の伝熱管Ｘ１２、再生器Ｙ３０の熱源管Ｙ３２、熱利用設備ＨＣＦ、蒸発器Ｙ２０の熱源管Ｙ２２は第１の循環経路を構成し、低温熱源ポンプ９１は、第１の循環経路に低温熱源流体ＧＰ又は合流熱源流体ＲＡ又は昇温対象流体ＲＰ又は高温熱源流体ＨＰ又は混合流体ＴＡを循環させるポンプである。吸収器Ｙ１０の伝熱管Ｙ１２、凝縮器Ｙ４０の伝熱管Ｙ４２、熱利用設備ＨＣＦは第２の循環経路を構成し、混合流体ポンプ９２は、第２の循環経路に増熱対象流体ＴＳ又は混合流体ＴＡを循環させるポンプである。熱源設備ＨＳＦ、蒸発器Ｘ２０の熱源管Ｘ２２、再生器Ｘ３０の熱源管Ｘ３２は第３の循環経路を構成し、合流熱源ポンプ９３は、合流熱源流体ＲＡ又は駆動熱源流体ＲＳを第３の循環経路に循環させるポンプである。第１の循環経路、第２の循環経路、第３の循環経路は、適宜合流及び分流することにより全体として１つの循環経路を構成している。このことから、本実施の形態では、吸収式熱交換システム１全体で少なくとも１つの膨張タンク９８を設けることで足りることが分かる。なお、本実施の形態では、膨張タンク９８の取付位置を、低温熱源管８２としているが、低温熱源管８２に代えて又は低温熱源管８２と共に、昇温流体管８１、混合熱源往管８７、混合熱源還管８８、合流熱源往管８４、合流熱源還管８５のいずれか又は複数としてもよい。
【００６２】
引き続き図１乃至図３を参照して、吸収式熱交換システム１の作用を説明する。先に、図１及び図２を参照して昇温吸収ヒートポンプＸ１まわりの作用を説明すると、合流熱源ポンプ９３の起動によって流動する合流熱源流体ＲＡは、熱源設備ＨＳＦにおいて、排熱を回収して温度が上昇し、合流熱源往管８４を介して、熱源流体流入口Ｘ５６から昇温吸収ヒートポンプＸ１に流入する。昇温吸収ヒートポンプＸ１に流入した合流熱源流体ＲＡは、熱源流体流入管Ｘ５５を流れた後、昇温流体導入管Ｘ５１に入る昇温対象流体ＲＰと、駆動熱源導入管Ｘ５２に入る駆動熱源流体ＲＳとに分流する。昇温流体導入管Ｘ５１を流れる昇温対象流体ＲＰは、吸収器Ｘ１０の伝熱管Ｘ１２に流入し、濃溶液ＸＳａが蒸発器冷媒蒸気ＸＶｅを吸収した際に発生した吸収熱を得て温度が上昇した後、昇温流体流出管Ｘ１９を流れ、昇温流体流出口Ｘ１８から昇温吸収ヒートポンプＸ１を流出して、昇温流体管８１に至る。昇温吸収ヒートポンプＸ１には、昇温流体流出口Ｘ１８から流出した昇温対象流体ＲＰの流量と同じ流量の低温熱源流体ＧＰが、低温熱源管８２から低温熱源導入口Ｘ１７を経て低温熱源導入管Ｘ５７に流入する。低温熱源管８２から低温熱源導入管Ｘ５７に流入する低温熱源流体ＧＰは、低温熱源ポンプ９１の起動によって流動する。低温熱源導入管Ｘ５７を流れる低温熱源流体ＧＰは、凝縮器Ｘ４０の伝熱管Ｘ４２に流入し、再生器冷媒蒸気ＸＶｇが凝縮する際に放出した凝縮熱を得て温度が上昇した後、低温熱源流出管Ｘ４９を流れる。
【００６３】
他方、熱源設備ＨＳＦから昇温吸収ヒートポンプＸ１に流入した合流熱源流体ＲＡから分流した駆動熱源流体ＲＳは、駆動熱源導入管Ｘ５２を流れて蒸発器Ｘ２０の熱源管Ｘ２２に流入し、冷媒液ＸＶｆが蒸発器冷媒蒸気ＸＶｅとなるのに必要な蒸発潜熱を奪われて温度が低下した後、駆動熱源連絡管Ｘ２５に至る。駆動熱源連絡管Ｘ２５を流れる駆動熱源流体ＲＳは、再生器Ｘ３０の熱源管Ｘ３２に流入し、希溶液ＸＳｗから再生器冷媒蒸気ＸＶｇを離脱させるのに必要な熱が奪われて温度が低下した後、駆動熱源流出管Ｘ３９に至る。駆動熱源流出管Ｘ３９を流れる駆動熱源流体ＲＳは、前述の低温熱源流出管Ｘ４９を流れる低温熱源流体ＧＰと合流して合流熱源流体ＲＡとなる。合流熱源流体ＲＡは、熱源流体流出管Ｘ５９を流れ、熱源流体流出口Ｘ５８から昇温吸収ヒートポンプＸ１を流出して、合流熱源還管８５に至る。合流熱源還管８５に流入した合流熱源流体ＲＡは、熱源設備ＨＳＦに流入して排熱を回収して温度が上昇した後に合流熱源往管８４に至り、以降、上述の作用を繰り返す。以下に、主として図２を参照して、昇温対象流体ＲＰ、低温熱源流体ＧＰ、及び駆動熱源流体ＲＳの温度変化をもたらす吸収液ＸＳと冷媒ＸＶとの吸収ヒートポンプサイクルを説明する。
【００６４】
まず、冷媒側の吸収ヒートポンプサイクルを説明する。凝縮器Ｘ４０では、再生器Ｘ３０で蒸発した再生器冷媒蒸気ＸＶｇを受け入れて、伝熱管Ｘ４２を流れる流体（本実施の形態では低温熱源流体ＧＰ）によって再生器冷媒蒸気ＸＶｇが冷却されて凝縮し、冷媒液ＸＶｆとなる。このとき、伝熱管Ｘ４２を流れる流体（本実施の形態では低温熱源流体ＧＰ）は、再生器冷媒蒸気ＸＶｇが凝縮する際に放出した凝縮熱によって温度が上昇する。凝縮した冷媒液ＸＶｆは、冷媒ポンプＸ４６で蒸発器缶胴Ｘ２１に送られる。蒸発器缶胴Ｘ２１に送られた冷媒液ＸＶｆは、熱源管Ｘ２２内を流れる駆動熱源流体ＲＳによって加熱され、蒸発して蒸発器冷媒蒸気ＸＶｅとなる。このとき、駆動熱源流体ＲＳは、冷媒液ＸＶｆに熱を奪われて温度が低下する。蒸発器Ｘ２０で発生した蒸発器冷媒蒸気ＸＶｅは、蒸発器Ｘ２０と連通する吸収器Ｘ１０へと移動する。
【００６５】
次に溶液側の吸収ヒートポンプサイクルを説明する。吸収器Ｘ１０では、濃溶液ＸＳａが濃溶液供給装置Ｘ１３から供給され、この供給された濃溶液ＸＳａが蒸発器Ｘ２０から移動してきた蒸発器冷媒蒸気ＸＶｅを吸収する。蒸発器冷媒蒸気ＸＶｅを吸収した濃溶液ＸＳａは、濃度が低下して希溶液ＸＳｗとなる。吸収器Ｘ１０では、濃溶液ＸＳａが蒸発器冷媒蒸気ＸＶｅを吸収する際に吸収熱が発生する。この吸収熱により、伝熱管Ｘ１２を流れる昇温対象流体ＲＰは、加熱されて温度が上昇する。本実施の形態では、伝熱管Ｘ１２を流れる昇温対象流体ＲＰは、元は、蒸発器Ｘ２０の熱源管Ｘ２２に導入される駆動熱源流体ＲＳの元と同じ合流熱源流体ＲＡである。したがって、昇温流体流出管Ｘ１９を流れる昇温対象流体ＲＰは、吸収器Ｘ１０で加熱された分だけ、蒸発器Ｘ２０及び再生器Ｘ３０に流入する駆動熱源流体ＲＳよりも温度が高くなる。吸収器Ｘ１０で蒸発器冷媒蒸気ＸＶｅを吸収した濃溶液ＸＳａは、濃度が低下して希溶液ＸＳｗとなり、吸収器Ｘ１０の下部に貯留される。貯留された希溶液ＸＳｗは、吸収器Ｘ１０と再生器Ｘ３０との内圧の差により再生器Ｘ３０に向かって希溶液管Ｘ３６を流れ、溶液熱交換器Ｘ３８で濃溶液ＸＳａと熱交換して温度が低下して、再生器Ｘ３０に至る。
【００６６】
再生器Ｘ３０に送られた希溶液ＸＳｗは、希溶液供給装置Ｘ３３から供給され、熱源管Ｘ３２を流れる駆動熱源流体ＲＳによって加熱され、供給された希溶液ＸＳｗ中の冷媒が蒸発して濃溶液ＸＳａとなり、再生器Ｘ３０の下部に貯留される。このとき、駆動熱源流体ＲＳは、希溶液ＸＳｗに熱を奪われて温度が低下する。熱源管Ｘ３２を流れる駆動熱源流体ＲＳは、蒸発器Ｘ２０の熱源管Ｘ２２を通過してきたものである。希溶液ＸＳｗから蒸発した冷媒ＸＶは、再生器冷媒蒸気ＸＶｇとして凝縮器Ｘ４０へと移動する。再生器Ｘ３０の下部に貯留された濃溶液ＸＳａは、溶液ポンプＸ３５ｐにより、濃溶液管Ｘ３５を介して吸収器Ｘ１０の濃溶液供給装置Ｘ１３に圧送される。濃溶液管Ｘ３５を流れる濃溶液ＸＳａは、溶液熱交換器Ｘ３８で希溶液ＸＳｗと熱交換して温度が上昇してから吸収器Ｘ１０に流入し、濃溶液供給装置Ｘ１３から供給されて、以降、同様のサイクルを繰り返す。
【００６７】
次に図１及び図３を参照して増熱吸収ヒートポンプＹ１の作用を説明すると、昇温流体管８１を流れる昇温対象流体ＲＰは、高温熱源導入口Ｙ２７から、高温熱源流体ＨＰとして増熱吸収ヒートポンプＹ１に流入する。高温熱源導入口Ｙ２７の前後の昇温対象流体ＲＰと高温熱源流体ＨＰとは、同じものであるが、説明の便宜上、昇温吸収ヒートポンプＸ１におけるものと増熱吸収ヒートポンプＹ１におけるものとを区別するために、呼称を変えたものである。増熱吸収ヒートポンプＹ１に流入した高温熱源流体ＨＰは、高温熱源導入管Ｙ５７を流れ、再生器Ｙ３０の熱源管Ｙ３２に流入し、希溶液ＹＳｗから再生器冷媒蒸気ＹＶｇを離脱させるのに必要な熱が奪われて温度が低下した後、高温熱源流出管Ｙ３９に至る。高温熱源流出管Ｙ３９を流れる高温熱源流体ＨＰは、増熱流体流出管Ｙ４９を流れてきた増熱対象流体ＴＳと合流して混合流体ＴＡとなる。混合流体ＴＡは、混合流体流出管Ｙ５９を流れ、混合流体流出口Ｙ５８から増熱吸収ヒートポンプＹ１を流出して、混合熱源往管８７に至る。
【００６８】
混合熱源往管８７を流れる混合流体ＴＡは、熱利用設備ＨＣＦに流入し、熱が利用されて温度が低下した後に、混合熱源還管８８に至る。混合熱源還管８８の混合流体ＴＡは、混合流体流入口Ｙ５６から増熱吸収ヒートポンプＹ１内の混合流体流入管Ｙ５５に流入する。混合熱源還管８８から混合流体流入管Ｙ５５に流入する混合流体ＴＡは、混合流体ポンプ９２の起動によって流動する。混合流体流入管Ｙ５５を流れる混合流体ＴＡは、増熱流体導入管Ｙ５１に入る増熱対象流体ＴＳと、低温熱源流入管Ｙ５２に入る低温熱源流体ＧＰとに分流する。増熱流体導入管Ｙ５１を流れる増熱対象流体ＴＳは、吸収器Ｙ１０の伝熱管Ｙ１２に流入し、濃溶液ＹＳａが蒸発器冷媒蒸気ＹＶｅを吸収した際に発生した吸収熱を得て温度が上昇した後、増熱流体連絡管Ｙ１５に至る。増熱流体連絡管Ｙ１５を流れる増熱対象流体ＴＳは、凝縮器Ｙ４０の伝熱管Ｙ４２に流入し、再生器冷媒蒸気ＹＶｇが凝縮する際に放出した凝縮熱を得て温度が上昇した後、増熱流体流出管Ｙ４９を流れる。増熱流体流出管Ｙ４９を流れる増熱対象流体ＴＳは、前述の高温熱源流出管Ｙ３９を流れる高温熱源流体ＨＰと混合して混合流体ＴＡとなって混合流体流出管Ｙ５９を流れ、前述のように熱利用設備ＨＣＦに向かう。
【００６９】
他方、熱利用設備ＨＣＦから増熱吸収ヒートポンプＹ１に流入した混合流体ＴＡから分流した低温熱源流体ＧＰは、低温熱源流入管Ｙ５２を流れて蒸発器Ｙ２０の熱源管Ｙ２２に流入し、冷媒液ＹＶｆが蒸発器冷媒蒸気ＹＶｅとなるのに必要な蒸発潜熱を奪われて温度が低下した後、低温熱源流出管Ｙ２９を流れる。低温熱源流出管Ｙ２９を流れる低温熱源流体ＧＰは、低温熱源流出口Ｙ２８から増熱吸収ヒートポンプＹ１を流出して低温熱源管８２に至る。低温熱源管８２の低温熱源流体ＧＰは、前述のように低温熱源ポンプ９１の起動によって流動し、昇温吸収ヒートポンプＸ１に向かう。以下に、主として図３を参照して、高温熱源流体ＨＰ、増熱対象流体ＴＳ、及び低温熱源流体ＧＰの温度変化をもたらす吸収液ＹＳと冷媒ＹＶとの吸収ヒートポンプサイクルを説明する。
【００７０】
まず、溶液側の吸収ヒートポンプサイクルを説明する。吸収器Ｙ１０では、濃溶液ＹＳａが濃溶液供給装置Ｙ１３から供給され、この供給された濃溶液ＹＳａが蒸発器Ｙ２０から移動してきた蒸発器冷媒蒸気ＹＶｅを吸収する。蒸発器冷媒蒸気ＹＶｅを吸収した濃溶液ＹＳａは、濃度が低下して希溶液ＹＳｗとなる。吸収器Ｙ１０では、濃溶液ＹＳａが蒸発器冷媒蒸気ＹＶｅを吸収する際に吸収熱が発生する。この吸収熱により、伝熱管Ｙ１２を流れる増熱対象流体ＴＳが加熱され、増熱対象流体ＴＳの温度が上昇する。吸収器Ｙ１０で蒸発器冷媒蒸気ＹＶｅを吸収した濃溶液ＹＳａは、濃度が低下して希溶液ＹＳｗとなり、吸収器Ｙ１０の下部に貯留される。貯留された希溶液ＹＳｗは、溶液ポンプＹ３６ｐに圧送されて再生器Ｙ３０に向かって希溶液管Ｙ３６を流れ、溶液熱交換器Ｙ３８で濃溶液ＹＳａと熱交換して温度が上昇して、再生器Ｙ３０に至る。
【００７１】
再生器Ｙ３０に送られた希溶液ＹＳｗは、希溶液供給装置Ｙ３３から供給され、熱源管Ｙ３２を流れる高温熱源流体ＨＰによって加熱され、供給された希溶液ＹＳｗ中の冷媒が蒸発して濃溶液ＹＳａとなり、再生器Ｙ３０の下部に貯留される。このとき、高温熱源流体ＨＰは、希溶液ＹＳｗに熱を奪われて温度が低下する。希溶液ＹＳｗから蒸発した冷媒ＹＶは、再生器冷媒蒸気ＹＶｇとして凝縮器Ｙ４０へと移動する。再生器Ｙ３０の下部に貯留された濃溶液ＹＳａは、再生器Ｙ３０と吸収器Ｙ１０との内圧の差により、濃溶液管Ｙ３５を介して吸収器Ｙ１０の濃溶液供給装置Ｙ１３に至る。濃溶液管Ｙ３５を流れる濃溶液ＹＳａは、溶液熱交換器Ｙ３８で希溶液ＹＳｗと熱交換して温度が低下してから吸収器Ｙ１０に流入し、濃溶液供給装置Ｙ１３から供給され、以降、上述の吸収液ＹＳのサイクルを繰り返す。
【００７２】
次に冷媒側の吸収ヒートポンプサイクルを説明する。凝縮器Ｙ４０では、再生器Ｙ３０で蒸発した再生器冷媒蒸気ＹＶｇを受け入れて、伝熱管Ｙ４２を流れる増熱対象流体ＴＳによって再生器冷媒蒸気ＹＶｇが冷却されて凝縮し、冷媒液ＹＶｆとなる。このとき、増熱対象流体ＴＳは、再生器冷媒蒸気ＹＶｇが凝縮する際に放出した凝縮熱によって温度が上昇する。伝熱管Ｙ４２を流れる増熱対象流体ＴＳは、吸収器Ｙ１０の伝熱管Ｙ１２を通過してきたものである。凝縮した冷媒液ＹＶｆは、凝縮器Ｙ４０と蒸発器Ｙ２０との内圧の差により冷媒液管Ｙ４５を流れて蒸発器Ｙ２０に至る。蒸発器Ｙ２０に送られた冷媒液ＹＶｆは、冷媒液供給装置Ｙ２３から供給され、熱源管Ｙ２２内を流れる低温熱源流体ＧＰによって加熱され、蒸発して蒸発器冷媒蒸気ＹＶｅとなる。このとき、熱源管Ｙ２２を流れる低温熱源流体ＧＰは、冷媒液ＹＶｆに熱を奪われて温度が低下する。蒸発器Ｙ２０で発生した蒸発器冷媒蒸気ＹＶｅは、蒸発器Ｙ２０と連通する吸収器Ｙ１０へと移動し、以降、同様のサイクルを繰り返す。
【００７３】
再び図１を主に参照して、上述のような作用を行う吸収式熱交換システム１における、昇温吸収ヒートポンプＸ１、増熱吸収ヒートポンプＹ１、熱源設備ＨＳＦ、熱利用設備ＨＣＦを循環する流体の温度及び流量の変化を、具体例を挙げて説明する。熱源設備ＨＳＦから流出して昇温吸収ヒートポンプＸ１に流入し、熱源流体流入管Ｘ５５を流れる合流熱源流体ＲＡは、温度が９５℃で流量が６０ｔ／ｈであるとする。熱源流体流入管Ｘ５５から昇温流体導入管Ｘ５１及び駆動熱源導入管Ｘ５２に分流した昇温対象流体ＲＰ及び駆動熱源流体ＲＳは、それぞれ、温度が９５℃で流量が３０ｔ／ｈとなる。駆動熱源導入管Ｘ５２を流れる９５℃、３０ｔ／ｈの駆動熱源流体ＲＳは、蒸発器Ｘ２０の熱源管Ｘ２２を流れた際に冷媒液ＸＶｆに熱を奪われて、駆動熱源連絡管Ｘ２５に至ると８８℃に温度が低下する。その後、駆動熱源連絡管Ｘ２５を流れる駆動熱源流体ＲＳは、再生器Ｘ３０の熱源管Ｘ３２を流れた際に希溶液ＸＳｗに熱を奪われて、駆動熱源流出管Ｘ３９に至ると８０℃に温度が低下する。駆動熱源流出管Ｘ３９に至った駆動熱源流体ＲＳの流量は３０ｔ／ｈのままである。
【００７４】
他方、昇温流体導入管Ｘ５１を流れる温度が９５℃で流量が３０ｔ／ｈの昇温対象流体ＲＰは、吸収器Ｘ１０の伝熱管Ｘ１２を流れた際に、濃溶液ＸＳａが蒸発器冷媒蒸気ＸＶｅを吸収して発生した吸収熱を得て、昇温流体流出管Ｘ１９に至ると１００℃に温度が上昇する。昇温流体流出管Ｘ１９に至った昇温対象流体ＲＰの流量は３０ｔ／ｈのままである。昇温流体流出管Ｘ１９を流れる１００℃、３０ｔ／ｈの昇温対象流体ＲＰは、昇温吸収ヒートポンプＸ１を流出し、昇温流体管８１を流れ、概ね温度及び流量が変わらずに、高温熱源流体ＨＰとして増熱吸収ヒートポンプＹ１に流入する。なお、厳密にいえば、昇温流体管８１を流れる際の放熱によって、増熱吸収ヒートポンプＹ１に流入した高温熱源流体ＨＰの温度は１００℃よりも低下しているが、説明の便宜上、熱ロスがないものと仮定して、増熱吸収ヒートポンプＹ１に流入した高温熱源流体ＨＰの温度は１００℃であるものとする。
【００７５】
増熱吸収ヒートポンプＹ１に流入し、高温熱源導入管Ｙ５７を流れる温度が１００℃で流量が３０ｔ／ｈの高温熱源流体ＨＰは、再生器Ｙ３０の熱源管Ｙ３２を流れた際に希溶液ＹＳｗに熱を奪われて、高温熱源流出管Ｙ３９に至ると９０℃に温度が低下する。高温熱源流出管Ｙ３９を流れる９０℃の高温熱源流体ＨＰは、増熱流体流出管Ｙ４９を流れる温度が４８℃で流量が７５ｔ／ｈの増熱対象流体ＴＳと混合し、６０℃、１０５ｔ／ｈの混合流体ＴＡとなって混合流体流出管Ｙ５９を流れる。混合流体流出管Ｙ５９を流れる６０℃、１０５ｔ／ｈの混合流体ＴＡは、増熱吸収ヒートポンプＹ１から流出し、熱利用設備ＨＣＦに流入して熱が利用されて温度が低下する。熱利用設備ＨＣＦで温度が低下して増熱吸収ヒートポンプＹ１に流入した混合流体ＴＡは、温度が４０℃で流量が１０５ｔ／ｈであるとする。増熱吸収ヒートポンプＹ１に流入して混合流体流入管Ｙ５５を流れる４０℃、１０５ｔ／ｈの混合流体ＴＡは、分流して、４０℃、７５ｔ／ｈの増熱対象流体ＴＳが増熱流体導入管Ｙ５１に流入し、４０℃、３０ｔ／ｈの低温熱源流体ＧＰが低温熱源流入管Ｙ５２に流入する。増熱流体導入管Ｙ５１を流れる４０℃、７５ｔ／ｈの増熱対象流体ＴＳは、吸収器Ｙ１０の伝熱管Ｙ１２を流れた際に、濃溶液ＹＳａが蒸発器冷媒蒸気ＹＶｅを吸収して発生した吸収熱を得て、増熱流体連絡管Ｙ１５に至ると４４℃に温度が上昇する。その後、増熱流体連絡管Ｙ１５を流れる増熱対象流体ＴＳは、凝縮器Ｙ４０の伝熱管Ｙ４２を流れた際に、再生器冷媒蒸気ＹＶｇが凝縮して冷媒液ＹＶｆとなる際に放出した凝縮熱を得て、増熱流体流出管Ｙ４９に至ると４８℃に温度が上昇する。増熱流体流出管Ｙ４９に至った増熱対象流体ＴＳの流量は７５ｔ／ｈのままである。増熱流体流出管Ｙ４９を流れる４８℃、７５ｔ／ｈ増熱対象流体ＴＳは、上述のように、高温熱源流出管Ｙ３９を流れる９０℃、３０ｔ／ｈの高温熱源流体ＨＰと合流して、６０℃、１０５ｔ／ｈの混合流体ＴＡとなって混合流体流出管Ｙ５９を流れる。
【００７６】
他方、低温熱源流入管Ｙ５２を流れる４０℃、３０ｔ／ｈの低温熱源流体ＧＰは、蒸発器Ｙ２０の熱源管Ｙ２２を流れた際に冷媒液ＹＶｆに熱を奪われて、低温熱源流出管Ｙ２９に至ると３０℃に温度が低下する。低温熱源流出管Ｙ２９に至った増熱対象流体ＴＳの流量は３０ｔ／ｈのままである。低温熱源流出管Ｙ２９を流れる３０℃、３０ｔ／ｈの低温熱源流体ＧＰは、増熱吸収ヒートポンプＹ１を流出し、低温熱源管８２を流れ、概ね温度及び流量が変わらずに、昇温吸収ヒートポンプＸ１に流入する。なお、厳密にいえば、低温熱源管８２を流れる際の放熱によって、昇温吸収ヒートポンプＸ１に流入した低温熱源流体ＧＰの温度は３０℃よりも低下しているが、説明の便宜上、熱ロスがないものと仮定して、昇温吸収ヒートポンプＸ１に流入した低温熱源流体ＧＰの温度は３０℃であるものとする。
【００７７】
昇温吸収ヒートポンプＸ１に流入し、低温熱源導入管Ｘ５７を流れる温度が３０℃で流量が３０ｔ／ｈの低温熱源流体ＧＰは、凝縮器Ｘ４０の伝熱管Ｘ４２を流れた際に、再生器冷媒蒸気ＸＶｇが凝縮して冷媒液ＸＶｆとなる際に放出した凝縮熱を得て、低温熱源流出管Ｘ４９に至ると４０℃に温度が上昇する。低温熱源流出管Ｘ４９に至った低温熱源流体ＧＰの流量は３０ｔ／ｈのままである。低温熱源流出管Ｘ４９を流れる４０℃、３０ｔ／ｈの低温熱源流体ＧＰは、駆動熱源流出管Ｘ３９を流れる８０℃、３０ｔ／ｈの駆動熱源流体ＲＳに合流し、６０℃、６０ｔ／ｈの合流熱源流体ＲＡとなって熱源流体流出管Ｘ５９を流れ、昇温吸収ヒートポンプＸ１から流出する。昇温吸収ヒートポンプＸ１から流出した６０℃、６０ｔ／ｈの合流熱源流体ＲＡは、合流熱源還管８５を流れて熱源設備ＨＳＦに流入し、排熱を回収して温度が上昇する。熱利用設備ＨＣＦで温度が上昇した合流熱源流体ＲＡは、９５℃、６０ｔ／ｈで昇温吸収ヒートポンプＸ１に流入し、以降、上述の流れを繰り返す。
【００７８】
これまで説明した吸収式熱交換システム１の熱の流れを概観すると次のように見ることができる。熱源設備ＨＳＦは合流熱源流体ＲＡに熱を与えて合流熱源流体ＲＡを加熱し、合流熱源流体ＲＡは加熱されて得た熱量を昇温吸収ヒートポンプＸ１に与えている。昇温吸収ヒートポンプＸ１においては、合流熱源流体ＲＡから分流した駆動熱源流体ＲＳが、吸収液と冷媒との吸収ヒートポンプサイクルを介して低温熱源流体ＧＰと昇温対象流体ＲＰとに熱を与えて低温熱源流体ＧＰ及び昇温対象流体ＲＰを加熱している。このとき、凝縮器Ｘ４０を流出した低温熱源流体ＧＰは、合流熱源流体ＲＡの一部として上述のように熱源設備ＨＳＦで加熱された後に昇温対象流体ＲＰとして吸収器Ｘ１０に流入している。そこで、昇温吸収ヒートポンプＸ１に対する入出熱量をみると、昇温吸収ヒートポンプＸ１への入熱量は、流入する温度が高い合流熱源流体ＲＡが持ち込む熱量から、流出する温度を下げた合流熱源流体ＲＡが持ち出す熱量を差し引いた熱量とみることができる。昇温吸収ヒートポンプＸ１からの出熱量は、凝縮器Ｘ４０で低温熱源流体ＧＰに与えられる熱量と、凝縮器Ｘ４０を流出した低温熱源流体ＧＰが吸収器Ｘ１０へ流入する昇温対象流体ＲＰになるまでに加熱されて与えられる熱量と、吸収器Ｘ１０で昇温対象流体ＲＰに与えられる熱量との合計となり、換言すると、凝縮器Ｘ４０に流入する低温熱源流体ＧＰが持ち込む熱量を、吸収器Ｘ１０から流出した昇温対象流体ＲＰが持ち出す熱量から差し引いた熱量とみることができる。すなわち、昇温吸収ヒートポンプＸ１は、合流熱源流体ＲＡから与えられた熱量を低温熱源流体ＧＰに与えて低温熱源流体ＧＰを加熱することで、低温熱源流体ＧＰを昇温対象流体ＲＰにしている。昇温対象流体ＲＰは、昇温吸収ヒートポンプＸ１で加熱されて得た熱量を増熱吸収ヒートポンプＹ１に与えている。増熱吸収ヒートポンプＹ１においては、昇温対象流体ＲＰから呼称を変えた高温熱源流体ＨＰと、低温熱源流体ＧＰとが、吸収液と冷媒との吸収ヒートポンプサイクルを介して増熱対象流体ＴＳに熱を与えて増熱対象流体ＴＳを加熱している。このとき、再生器Ｙ３０を流出した高温熱源流体ＨＰは、混合流体ＴＡの一部として熱利用設備ＨＣＦで熱が奪われた後に低温熱源流体ＧＰとして蒸発器Ｙ２０に流入している。そこで、増熱吸収ヒートポンプＹ１に対する入出熱量をみると、増熱吸収ヒートポンプＹ１への入熱量は、再生器Ｙ３０で高温熱源流体ＨＰから奪われる熱量と、再生器Ｙ３０を流出した高温熱源流体ＨＰが蒸発器Ｙ２０に流入する低温熱源流体ＧＰとなるまでに冷却されて奪われる熱量と、蒸発器Ｙ２０で低温熱源流体ＧＰが奪われる熱量との合計となり、換言すると、再生器Ｙ３０に流入する温度が高い昇温対象流体ＲＰが持ち込む熱量から、蒸発器Ｙ２０から流出した温度を下げた低温熱源流体ＧＰが持ち出す熱量を差し引いた熱量とみることができる。増熱吸収ヒートポンプＹ１からの出熱量は、流出する温度が高い混合流体ＴＡが持ち出す熱量から、流入する温度が低い混合流体ＴＡが持ち込む熱量を差し引いた熱量とみることができる。すなわち、増熱吸収ヒートポンプＹ１は、昇温対象流体ＲＰから呼称を変えた高温熱源流体ＨＰが低温熱源流体ＧＰになることで与えられた熱量を、混合流体ＴＡに与えて混合流体ＴＡを加熱している。混合流体ＴＡは加熱されて得た熱量を熱利用設備ＨＣＦに与えている。すなわち、吸収式熱交換システム１では、熱源設備ＨＳＦが合流熱源流体ＲＡに与えた熱量を混合流体ＴＡが熱利用設備ＨＣＦに与えている。このように、吸収式熱交換システム１は、熱源設備ＨＳＦから熱利用設備ＨＣＦに熱を輸送するシステムを構成している。
【００７９】
以上で説明したように、本実施の形態に係る吸収式熱交換システム１によれば、熱源設備ＨＳＦに対して流入出する合流熱源流体ＲＡの温度差（本実施の形態では３５℃）よりも、昇温吸収ヒートポンプＸ１から流出する昇温対象流体ＲＰと流入する低温熱源流体ＧＰとの温度差（本実施の形態では７０℃）を大きくすることができるので、昇温流体管８１を流れる昇温対象流体ＲＰ及び低温熱源管８２を流れる低温熱源流体ＧＰの流量を少なくして流体搬送に要するエネルギーを削減することができる。このことは、昇温吸収ヒートポンプＸ１と増熱吸収ヒートポンプＹ１との距離が離れているほど効果が顕著である。また、昇温吸収ヒートポンプＸ１内の被加熱流体（昇温対象流体ＲＰ、低温熱源流体ＧＰ）及び加熱源流体（合流熱源流体ＲＡ、駆動熱源流体ＲＳ）と、増熱吸収ヒートポンプＹ１内の被加熱流体（混合流体ＴＡ、増熱対象流体ＴＳ）及び加熱源流体（高温熱源流体ＨＰ、低温熱源流体ＧＰ）と、昇温吸収ヒートポンプＸ１と増熱吸収ヒートポンプＹ１との間の昇温対象流体ＲＰ及び低温熱源流体ＧＰと、昇温吸収ヒートポンプＸ１と熱源設備ＨＳＦとの間の合流熱源流体ＲＡと、増熱吸収ヒートポンプＹ１と熱利用設備ＨＣＦとの間の混合流体ＴＡとが、全体として連絡して１つの循環経路を構成しているので、吸収式熱交換システム１全体で少なくとも１つの膨張タンク９８を設けるだけで、流路内の圧力変動を適切に緩和させることができる。また、各流路が連絡して１つの循環経路を構成していることで、各流路内の流体の性状や保有量の管理対象が１つの流体だけになって管理が容易になる。なお、昇温吸収ヒートポンプＸ１と増熱吸収ヒートポンプＹ１とが離れていて低温熱源管８２が長距離に及ぶ場合、低温熱源管８２に所定間隔をおいて複数の低温熱源ポンプ９１を設けて低温熱源流体ＧＰを圧送してもよいし、複数の低温熱源ポンプ９１を直列に接続して吐出圧力を高くして低温熱源流体ＧＰを圧送してもよい。あるいは、低温熱源管８２に設ける低温熱源ポンプ９１と同様に、温度が高い流体に対応したポンプを昇温流体管８１に設けてもよい。
【００８０】
次に図４を参照して、本発明の第２の実施の形態に係る吸収式熱交換システム２を説明する。図２は、吸収式熱交換システム２の模式的系統図である。以下の説明において、昇温吸収ヒートポンプＸ１の構成に言及しているときは適宜図２を参照し、増熱吸収ヒートポンプＹ１の構成に言及しているときは適宜図３を参照することとする。吸収式熱交換システム２は、以下の点で吸収式熱交換システム１（図１参照）と異なっている。吸収式熱交換システム２では、２つの熱利用設備ＨＣＦ１、ＨＣＦ２それぞれに６０℃、１０５ｔ／ｈの混合流体ＴＡを供給することができるように、２台の増熱吸収ヒートポンプＹ１Ａ、Ｙ１Ｂを備えている。２台の増熱吸収ヒートポンプＹ１Ａ、Ｙ１Ｂは、共に増熱吸収ヒートポンプＹ１（図３参照）と同じ構成になっている。昇温流体管８１は、昇温流体流出口Ｘ１８の反対側で第１昇温流体管８１Ａと第２昇温流体管８１Ｂとに分岐しており、第１昇温流体管８１Ａの他端は増熱吸収ヒートポンプＹ１Ａの高温熱源導入口Ｙ２７に接続されており、第２昇温流体管８１Ｂの他端は増熱吸収ヒートポンプＹ１Ｂの高温熱源導入口Ｙ２７に接続されている。低温熱源管８２は、低温熱源導入口Ｘ１７の反対側で第１低温熱源管８２Ａと第２低温熱源管８２Ｂとに分岐しており、第１低温熱源管８２Ａの他端は増熱吸収ヒートポンプＹ１Ａの低温熱源流出口Ｙ２８に接続されており、第２低温熱源管８２Ｂの他端は増熱吸収ヒートポンプＹ１Ｂの低温熱源流出口Ｙ２８に接続されている。第１低温熱源管８２Ａには、内部の流体を流動させる第１低温熱源ポンプ９１Ａが配設されており、第２低温熱源管８２Ｂには、内部の流体を流動させる第２低温熱源ポンプ９１Ｂが配設されている。第１低温熱源ポンプ９１Ａは、凝縮器Ｘ４０の伝熱管Ｘ４２、熱源設備ＨＳＦ、吸収器Ｘ１０の伝熱管Ｘ１２、増熱吸収ヒートポンプＹ１Ａの再生器Ｙ３０の熱源管Ｙ３２、熱利用設備ＨＣＦ１、増熱吸収ヒートポンプＹ１Ａの蒸発器Ｙ２０の熱源管Ｙ２２に低温熱源流体ＧＰ又は合流熱源流体ＲＡ又は昇温対象流体ＲＰ又は高温熱源流体ＨＰ又は混合流体ＴＡを循環させるポンプである。第２低温熱源ポンプ９１Ｂは、凝縮器Ｘ４０の伝熱管Ｘ４２、熱源設備ＨＳＦ、吸収器Ｘ１０の伝熱管Ｘ１２、増熱吸収ヒートポンプＹ１Ｂの再生器Ｙ３０の熱源管Ｙ３２、熱利用設備ＨＣＦ２、増熱吸収ヒートポンプＹ１Ｂの蒸発器Ｙ２０の熱源管Ｙ２２に低温熱源流体ＧＰ又は合流熱源流体ＲＡ又は昇温対象流体ＲＰ又は高温熱源流体ＨＰ又は混合流体ＴＡを循環させるポンプである。第１低温熱源管８２Ａと第２低温熱源管８２Ｂとの接続部よりも下流側の低温熱源管８２には、吸収式熱交換システム１（図１参照）と同様に低温熱源ポンプ９１が配設されている。低温熱源ポンプ９１は、第１低温熱源ポンプ９１Ａ及び第２低温熱源ポンプ９１Ｂを合わせた作用をする。膨張タンク９８は、本実施の形態では第１低温熱源ポンプ９１Ａよりも上流側の第１低温熱源管８２Ａに接続されているが、これと連絡している管のどこに接続されていてもよい。増熱吸収ヒートポンプＹ１Ａと熱利用設備ＨＣＦ１とは、第１混合熱源往管８７Ａ及び第１混合熱源還管８８Ａで接続されている。増熱吸収ヒートポンプＹ１Ａは第１の増熱吸収ヒートポンプに相当し、熱利用設備ＨＣＦ１は第１の熱消費部に相当する。第１混合熱源還管８８Ａには、第１混合流体ポンプ９２Ａが配設されている。増熱吸収ヒートポンプＹ１Ｂと熱利用設備ＨＣＦ２とは、第２混合熱源往管８７Ｂ及び第２混合熱源還管８８Ｂで接続されている。増熱吸収ヒートポンプＹ１Ｂは第２の増熱吸収ヒートポンプに相当し、熱利用設備ＨＣＦ２は第２の熱消費部に相当する。第２混合熱源還管８８Ｂには、第２混合流体ポンプ９２Ｂが配設されている。上記以外の吸収式熱交換システム２の構成は、吸収式熱交換システム１（図１参照）と同様である。
【００８１】
上述のように構成された吸収式熱交換システム２では、熱源設備ＨＳＦから流出して昇温吸収ヒートポンプＸ１に流入し、熱源流体流入管Ｘ５５を流れる合流熱源流体ＲＡは、温度が９５℃で流量が１２０ｔ／ｈであるとする。熱源流体流入管Ｘ５５から昇温流体導入管Ｘ５１及び駆動熱源導入管Ｘ５２に分流した昇温対象流体ＲＰ及び駆動熱源流体ＲＳは、それぞれ、温度が９５℃で流量が６０ｔ／ｈとなる。駆動熱源導入管Ｘ５２から、蒸発器Ｘ２０の熱源管Ｘ２２、駆動熱源連絡管Ｘ２５、再生器Ｘ３０の熱源管Ｘ３２、駆動熱源流出管Ｘ３９と順に流れる駆動熱源流体ＲＳは、温度の変化は吸収式熱交換システム１（図１参照）の昇温吸収ヒートポンプＸ１における場合と同様で、流量は６０ｔ／ｈのままである。他方、昇温流体導入管Ｘ５１を流れる温度が９５℃で流量が６０ｔ／ｈの昇温対象流体ＲＰは、吸収器Ｘ１０の伝熱管Ｘ１２を流れて１００℃に温度が上昇した後、昇温流体流出管Ｘ１９を介して、１００℃、６０ｔ／ｈで昇温吸収ヒートポンプＸ１を流出し、昇温流体管８１を流れる。
【００８２】
昇温流体管８１を流れる１００℃、６０ｔ／ｈの昇温対象流体ＲＰは、分流し、第１昇温流体管８１Ａ及び第２昇温流体管８１Ｂのそれぞれに、１００℃、３０ｔ／ｈの昇温対象流体ＲＰが流入する。第１昇温流体管８１Ａを流れる１００℃、３０ｔ／ｈの昇温対象流体ＲＰは、高温熱源流体ＨＰとして増熱吸収ヒートポンプＹ１Ａに流入し、第２昇温流体管８１Ｂを流れる１００℃、３０ｔ／ｈの昇温対象流体ＲＰは、高温熱源流体ＨＰとして増熱吸収ヒートポンプＹ１Ｂに流入する。増熱吸収ヒートポンプＹ１Ａ及び熱利用設備ＨＣＦ１、増熱吸収ヒートポンプＹ１Ｂ及び熱利用設備ＨＣＦ２、それぞれにおける、高温熱源流体ＨＰ、増熱対象流体ＴＳ、混合流体ＴＡ、低温熱源流体ＧＰの温度及び流量の変化は、吸収式熱交換システム１（図１参照）の増熱吸収ヒートポンプＹ１における場合と同様である。したがって、増熱吸収ヒートポンプＹ１Ａから第１低温熱源管８２Ａに流出した低温熱源流体ＧＰ、増熱吸収ヒートポンプＹ１Ｂから第２低温熱源管８２Ｂに流出した低温熱源流体ＧＰのそれぞれは、温度が３０℃で流量が３０ｔ／ｈである。第１低温熱源管８２Ａを流れる３０℃、３０ｔ／ｈの低温熱源流体ＧＰと第２低温熱源管８２Ｂを流れる３０℃、３０ｔ／ｈの低温熱源流体ＧＰとは、合流し、３０℃、６０ｔ／ｈの低温熱源流体ＧＰとなって低温熱源管８２を流れ、昇温吸収ヒートポンプＸ１に流入する。
【００８３】
昇温吸収ヒートポンプＸ１に流入し、低温熱源導入管Ｘ５７を流れる温度が３０℃、６０ｔ／ｈの低温熱源流体ＧＰは、凝縮器Ｘ４０の伝熱管Ｘ４２を流れて４０℃に温度が上昇した後、低温熱源流出管Ｘ４９を流れ、駆動熱源流出管Ｘ３９を流れる８０℃、６０ｔ／ｈの駆動熱源流体ＲＳに合流し、６０℃、１２０ｔ／ｈの合流熱源流体ＲＡとなって熱源流体流出管Ｘ５９を流れ、昇温吸収ヒートポンプＸ１から流出する。昇温吸収ヒートポンプＸ１から流出した６０℃、１２０ｔ／ｈの合流熱源流体ＲＡは、合流熱源還管８５を流れて熱源設備ＨＳＦに流入し、排熱を回収して温度が上昇し、９５℃、１２０ｔ／ｈで昇温吸収ヒートポンプＸ１に流入して、以降、上述の流れを繰り返す。このように作用する吸収式熱交換システム２は、例えば、大容量の熱源（熱源設備ＨＳＦ）から、２つの住居暖房用の温水供給設備（熱利用設備ＨＣＦ１、ＨＣＦ２）に２次温水（混合流体ＴＡ）を供給する場合に好適である。なお、第１低温熱源ポンプ９１Ａがなくとも、低温熱源流体ＧＰが所定の流量を確保して第１低温熱源管８２Ａを流れ、昇温対象流体ＲＰが所定の流量を確保して第１昇温流体管８１Ａを流れる場合には、第１低温熱源ポンプ９１Ａはなくてもよい。同様に、第２低温熱源ポンプ９１Ｂがなくとも、低温熱源流体ＧＰが所定の流量を確保して第２低温熱源管８２Ｂを流れ、昇温対象流体ＲＰが所定の流量を確保して第２昇温流体管８１Ｂを流れる場合には、第２低温熱源ポンプ９１Ｂはなくてもよい。あるいは、低温熱源ポンプ９１がなくとも、低温熱源流体ＧＰが所定の流量を確保して低温熱源管８２を流れ、昇温対象流体ＲＰが所定の流量を確保して昇温流体管８１を流れる場合には、低温熱源ポンプ９１はなくてもよい。また、吸収式熱交換システム２では、熱利用設備ＨＣＦ１に送る混合流体ＴＡの温度と熱利用設備ＨＣＦ２に送る混合流体ＴＡの温度は同じとしたが、異なっていてもよい。また、熱利用設備ＨＣＦと増熱吸収ヒートポンプＹ１はそれぞれ３台以上であってもよい。
【００８４】
次に図５を参照して、本発明の第３の実施の形態に係る吸収式熱交換システム３を説明する。図５は、吸収式熱交換システム３の模式的系統図である。以下の説明において、昇温吸収ヒートポンプＸ１の構成に言及しているときは適宜図２を参照し、増熱吸収ヒートポンプＹ１の構成に言及しているときは適宜図３を参照することとする。吸収式熱交換システム３は、以下の点で吸収式熱交換システム１（図１参照）と異なっている。吸収式熱交換システム３では、増熱吸収ヒートポンプＹ１Ｃが、増熱吸収ヒートポンプＹ１（図１参照）に代えて設けられている。増熱吸収ヒートポンプＹ１Ｃは、高温熱源流出管３９を流れる高温熱源流体ＨＰが、一旦増熱吸収ヒートポンプＹ１Ｃの外に流出した後に再び流入するように構成されている。吸収式熱交換システム３では、増熱吸収ヒートポンプＹ１Ｃの外に一旦流出した高温熱源流体ＨＰは、第１の追加熱消費部としての追加熱利用設備ＨＣＦＡで熱が利用された後に、再び増熱吸収ヒートポンプＹ１Ｃに流入するようになっている。高温熱源流出管Ｙ３９は、流路の途中に、高温熱源流体ＨＰを増熱吸収ヒートポンプＹ１Ｃの外に流出する中間流出口Ｙ３９ａと、高温熱源流体ＨＰが増熱吸収ヒートポンプＹ１Ｃの外から流入する中間流入口Ｙ３９ｂとが設けられている。中間流出口Ｙ３９ａは第１の増熱駆動熱源流体流出部に相当し、中間流入口Ｙ３９ｂは第１の増熱駆動熱源流体導入部に相当する。中間流出口Ｙ３９ａと追加熱利用設備ＨＣＦＡとは、高温流出往管３８７で接続されている。追加熱利用設備ＨＣＦＡと中間流入口Ｙ３９ｂとは、高温流出還管３８８で接続されている。高温流出還管３８８には、内部の高温熱源流体ＨＰを流動させる高温流出ポンプ３９２が配設されている。上記以外の吸収式熱交換システム３の構成は、吸収式熱交換システム１（図１参照）と同様である。
【００８５】
上述のように構成された吸収式熱交換システム３では、合流熱源流体ＲＡに関し、昇温吸収ヒートポンプＸ１から流出して熱源設備ＨＳＦに流入し、熱源設備ＨＳＦで温度が上昇した後に熱源設備ＨＳＦから流出して昇温吸収ヒートポンプＸ１に流入する際の温度変化及び流量は、吸収式熱交換システム１（図１参照）と同様である。また、昇温吸収ヒートポンプＸ１内における、合流熱源流体ＲＡ、昇温対象流体ＲＰ、駆動熱源流体ＲＳ、低温熱源流体ＧＰの温度変化及び流量変化は、吸収式熱交換システム１（図１参照）における昇温吸収ヒートポンプＸ１の場合と同様である。１００℃、３０ｔ／ｈで昇温吸収ヒートポンプＸ１を流出した昇温対象流体ＲＰは、昇温流体管８１を介して、高温熱源流体ＨＰとして増熱吸収ヒートポンプＹ１Ｃに流入する。増熱吸収ヒートポンプＹ１Ｃに流入した高温熱源流体ＨＰに関し、再生器Ｙ３０を流れて高温熱源流出管Ｙ３９に至るまでの温度及び流量の変化は、増熱吸収ヒートポンプＹ１（図１参照）の場合と同様である。その後、増熱吸収ヒートポンプＹ１Ｃでは、高温熱源流出管Ｙ３９に至った９０℃、３０ｔ／ｈの高温熱源流体ＨＰは、中間流出口３９ａから増熱吸収ヒートポンプＹ１Ｃを一旦流出し、高温流出往管３８７を介して追加熱利用設備ＨＣＦＡに流入する。追加熱利用設備ＨＣＦＡに流入した高温熱源流体ＨＰは、熱が利用されて温度が６０℃に低下し、高温流出還管３８８から増熱吸収ヒートポンプＹ１Ｃに再度流入する。
【００８６】
増熱吸収ヒートポンプＹ１Ｃ内の高温熱源流出管Ｙ３９に戻った６０℃、３０ｔ／ｈの高温熱源流体ＨＰは、増熱流体流出管Ｙ４９を流れる温度が４８℃で流量が７５ｔ／ｈの増熱対象流体ＴＳと混合し、５１．５℃、１０５ｔ／ｈの混合流体ＴＡとなって混合流体流出管Ｙ５９を流れる。混合流体流出管Ｙ５９を流れる５１．５℃、１０５ｔ／ｈの混合流体ＴＡは、増熱吸収ヒートポンプＹ１Ｃから流出し、熱利用設備ＨＣＦに流入して熱が利用されて温度が低下する。熱利用設備ＨＣＦで温度が低下して増熱吸収ヒートポンプＹ１Ｃに流入した混合流体ＴＡは、吸収式熱交換システム１（図１参照）と同様、温度が４０℃で流量が１０５ｔ／ｈであるとする。その後の、増熱吸収ヒートポンプＹ１Ｃ内における、増熱対象流体ＴＳ及び低温熱源流体ＧＰの温度変化及び流量変化は、増熱吸収ヒートポンプＹ１（図１参照）の場合と同様である。増熱吸収ヒートポンプＹ１Ｃを流出した３０℃、３０ｔ／ｈの低温熱源流体ＧＰは、低温熱源管８２を介して昇温吸収ヒートポンプＸ１に流入し、以降、上述の流れを繰り返す。このように作用する吸収式熱交換システム３は、追加熱利用設備ＨＣＦＡで取り出す熱利用側の温度を、熱利用設備ＨＣＦで取り出す熱利用側の温度よりも高くすることができる。また、追加熱利用設備ＨＣＦＡから流出した高温熱源流体ＨＰの温度が凝縮器Ｙ４０から流出した増熱対象流体ＴＳの温度と同じかより高い場合には、追加熱利用設備ＨＣＦＡから流出した高温熱源流体ＨＰと増熱対象流体ＴＳとが混合した混合流体ＴＡの温度を、混合前の増熱対象流体ＴＳの温度と同じかより高くすることにより、熱利用設備ＨＣＦにおいて、高温熱源流体ＨＰから間接的にさらに熱を奪うことができる。また、高温流出ポンプ３９２がなくとも、高温熱源流体ＨＰが所定の流量を確保して高温流出往管３８７と高温流出還管３８８を流れる場合には、高温流出ポンプ３９２はなくてもよい。
【００８７】
次に図６を参照して、本発明の第４の実施の形態に係る吸収式熱交換システム４を説明する。図６は、吸収式熱交換システム４の模式的系統図である。以下の説明において、昇温吸収ヒートポンプＸ１の構成に言及しているときは適宜図２を参照し、増熱吸収ヒートポンプＹ１の構成に言及しているときは適宜図３を参照することとする。吸収式熱交換システム４は、以下の点で吸収式熱交換システム１（図１参照）と異なっている。吸収式熱交換システム４では、増熱吸収ヒートポンプＹ１の増熱再生器３０に導入される前の高温熱源流体ＨＰの一部を分岐して増熱吸収ヒートポンプＹ１から一旦流出させ、第２の追加熱消費部としての追加熱利用設備ＨＣＦＡで熱が利用された後に、混合流体ＴＡに混合させるようになっている。吸収式熱交換システム４は、増熱吸収ヒートポンプＹ１の高温熱源導入管Ｙ５７に、分岐流出往管４８７の一端が接続されており、分岐流出往管４８７の他端は追加熱利用設備ＨＣＦＡに接続されている。分岐流出往管４８７は、再生器Ｙ３０に流入する前の高温熱源流体ＨＰを、増熱吸収ヒートポンプＹ１の外の追加熱利用設備ＨＣＦＡに導く流路を構成する管であり、第２の増熱駆動熱源流体流出部に相当する。分岐流出往管４８７の一端は、高温熱源導入管Ｙ５７に代えて、昇温流体管８１に接続されていてもよい。また、増熱吸収ヒートポンプＹ１の混合流体流出管Ｙ５９には分岐流出還管４８８の一端が接続されており、分岐流出還管４８８の他端は追加熱利用設備ＨＣＦＡに接続されている。分岐流出還管４８８は、追加熱利用設備ＨＣＦＡで熱が利用されて温度が低下した一部の高温熱源流体ＨＰを、混合流体流出管Ｙ５９に導く流路を構成する管であり、第２の増熱駆動熱源流体導入部に相当する。分岐流出還管４８８の一端は、混合流体流出管Ｙ５９に代えて、混合熱源往管８７に接続されていてもよい。分岐流出還管４８８には、内部の高温熱源流体ＨＰを流動させる分岐流出ポンプ４９２が配設されている。上記以外の吸収式熱交換システム４の構成は、吸収式熱交換システム１（図１参照）と同様である。
【００８８】
上述のように構成された吸収式熱交換システム４では、昇温吸収ヒートポンプＸ１及び熱源設備ＨＳＦまわりの作用は、被加熱流体及び加熱源流体の温度及び流量の変化を含めて、吸収式熱交換システム１（図１参照）、３（図５参照）と同様である。１００℃、３０ｔ／ｈで昇温吸収ヒートポンプＸ１を流出した昇温対象流体ＲＰは、昇温流体管８１を介して、高温熱源流体ＨＰとして増熱吸収ヒートポンプＹ１に流入する。増熱吸収ヒートポンプＹ１に高温熱源導入口Ｙ２７から流入した高温熱源流体ＨＰは、一部（本実施の形態では５ｔ／ｈ）が分岐流出往管４８７に流入し、残り（本実施の形態では２５ｔ／ｈ）が引き続き高温熱源導入管Ｙ５７を流れる。高温熱源導入管Ｙ５７を流れる１００℃、２５ｔ／ｈの高温熱源流体ＨＰは、再生器Ｙ３０で温度が低下して、高温熱源流出管Ｙ３９に至ると８９℃に温度が低下する。他方、分岐流出往管４８７に流入した１００℃、５ｔ／ｈの高温熱源流体ＨＰは、増熱吸収ヒートポンプＹ１の外に一旦流出して追加熱利用設備ＨＣＦＡに流入し、この追加熱利用設備ＨＣＦＡで熱が利用されて温度が６０℃に低下し、増熱吸収ヒートポンプＹ１の混合流体流出管Ｙ５９に向けて分岐流出還管４８８を流れる。高温熱源流出管Ｙ３９を流れる８９℃、２５ｔ／ｈの高温熱源流体ＨＰと、分岐流出還管４８８を流れる６０℃、５ｔ／ｈの高温熱源流体ＨＰと、増熱流体流出管Ｙ４９を流れる４９℃、６５ｔ／ｈの増熱対象流体ＴＳとは、合流して、６０℃、９５ｔ／ｈの混合流体ＴＡとなって混合流体流出管Ｙ５９を流れる。その後の、熱利用設備ＨＣＦにおける混合流体ＴＡ並びに増熱吸収ヒートポンプＹ１内における増熱対象流体ＴＳ及び低温熱源流体ＧＰの温度変化及び流量変化は、増熱対象流体ＴＳが４９℃、６５ｔ／ｈになっている点を除き、吸収式熱交換システム１（図１参照）、３（図５参照）と同様である。増熱吸収ヒートポンプＹ１を流出した３０℃、３０ｔ／ｈの低温熱源流体ＧＰは、低温熱源管８２を介して昇温吸収ヒートポンプＸ１に流入し、以降、上述の流れを繰り返す。このように作用する吸収式熱交換システム４は、追加熱利用設備ＨＣＦＡで取り出す熱利用側の温度を、熱利用設備ＨＣＦで取り出す熱利用側の温度よりも高くすることができる。なお、図６では、追加熱利用設備ＨＣＦＡにおける加熱源流体である高温熱源流体ＨＰの温度が、図５における追加熱利用設備ＨＣＦＡにおける加熱源流体である高温熱源流体ＨＰの温度より高いことから、図６における追加熱利用設備ＨＣＦＡで取り出す被加熱媒体の温度を、図５の場合よりも高くすることができる。また、高温流出ポンプ４９２がなくとも、高温熱源流体ＨＰが所定の流量を確保して分岐流出往管４８７及び分岐流出還管４８８を流れる場合には、高温流出ポンプ４９２はなくてもよい。
【００８９】
次に図７を参照して、本発明の第５の実施の形態に係る吸収式熱交換システム５を説明する。図７は、吸収式熱交換システム５の模式的系統図である。以下の説明において、昇温吸収ヒートポンプＸ１の構成に言及しているときは適宜図２を参照し、増熱吸収ヒートポンプＹ１の構成に言及しているときは適宜図３を参照することとする。吸収式熱交換システム５は、以下の点で吸収式熱交換システム１（図１参照）と異なっている。吸収式熱交換システム５では、熱源設備ＨＳＦとは別の熱源である副熱源ＡＳ（第１の副熱源に相当）から熱を回収する副熱装置６１を備えており、低温熱源管８２を流れる低温熱源流体ＧＰの一部を、昇温吸収ヒートポンプＸ１及び熱源設備ＨＳＦをバイパスして、副熱装置６１で加熱した後に昇温流体管８１に合流させるようになっている。副熱装置６１は、低温熱源流体ＧＰの一部と副熱源ＡＳとで熱交換を行わせる装置であり、第１の副熱装置に相当する。副熱源ＡＳとして、温水等の高温液体や排ガス等の高温気体を用いることができる。低温熱源ポンプ９１よりも下流側の低温熱源管８２にはバイパス往管６２の一端が接続されており、バイパス往管６２の他端は副熱装置６１の被加熱流体流入口６１ａに接続されている。バイパス往管６２は、低温熱源管８２を流れる低温熱源流体ＧＰの一部を副熱装置６１に導く流路を構成する管である。バイパス往管６２には、内部の低温熱源流体ＧＰを流動させる低温バイパスポンプ６６が配設されている。副熱装置６１の被加熱流体流出口６１ｂにはバイパス還管６３の一端が接続されており、バイパス還管６３の他端は昇温流体管８１に接続されている。バイパス還管６３は、副熱装置６１から流出した流体を昇温流体管８１に導く流路を構成する管である。このほか、低温熱源流体ＧＰの副熱装置６１への流入を迂回させる副熱バイパス管６４が設けられている。副熱バイパス管６４は、一端が低温バイパスポンプ６６よりも下流側のバイパス往管６２に接続されており、他端がバイパス還管６３に接続されている。副熱バイパス管６４の両端の間のバイパス往管６２及び／又はバイパス還管６３並びに副熱バイパス管６４にはそれぞれバルブが設けられており、低温熱源流体ＧＰが副熱装置６１を流れるのと副熱バイパス管６４を流れるのとを切り替えることができるように構成されている。上記以外の吸収式熱交換システム５の構成は、吸収式熱交換システム１（図１参照）と同様である。
【００９０】
上述のように構成された吸収式熱交換システム５では、増熱吸収ヒートポンプＹ１及び熱利用設備ＨＣＦまわりの作用は、被加熱流体及び加熱源流体の温度及び流量以外は、被加熱流体及び加熱源流体の流れ（合流や分流を含む）並びに吸収ヒートポンプサイクル等を含めて吸収式熱交換システム１（図１参照）と同様である。吸収式熱交換システム５では、増熱吸収ヒートポンプＹ１から、３０℃、３３ｔ／ｈの低温熱源流体ＧＰが低温熱源管８２に流出する。低温熱源管８２を流れる３０℃、３３ｔ／ｈの低温熱源流体ＧＰは、一部（本実施の形態では３ｔ／ｈ）がバイパス往管６２に流入し、残り（本実施の形態では３０ｔ／ｈ）が引き続き低温熱源管８２を流れる。引き続き低温熱源管８２を流れる低温熱源流体ＧＰは、３０℃、３０ｔ／ｈで昇温吸収ヒートポンプＸ１に流入し、以降の昇温吸収ヒートポンプＸ１及び熱源設備ＨＳＦまわりの作用は、被加熱流体及び加熱源流体の温度及び流量の変化を含めて、吸収式熱交換システム１（図１参照）と同様である。したがって、昇温吸収ヒートポンプＸ１からは、１００℃、３０ｔ／ｈの昇温対象流体ＲＰが昇温流体管８１に流出する。少し戻って、バイパス往管６２に流入した３０℃、３ｔ／ｈの低温熱源流体ＧＰは、副熱装置６１に流入し、この副熱装置６１で副熱源ＡＳから受熱して温度が１００℃に上昇した後、バイパス還管６３を流れて昇温流体管８１に流入する。これにより、バイパス還管６３との接続部よりも下流側の昇温流体管８１には、１００℃、３３ｔ／ｈの昇温対象流体ＲＰが流れることとなる。この１００℃、３３ｔ／ｈの昇温対象流体ＲＰは、高温熱源流体ＨＰとして増熱吸収ヒートポンプＹ１に流入する。
【００９１】
増熱吸収ヒートポンプＹ１に流入した１００℃、３３ｔ／ｈの高温熱源流体ＨＰは、再生器Ｙ３０を通過した際に温度が低下し、９０℃となる。高温熱源流出管Ｙ３９を流れる９０℃、３３ｔ／ｈの高温熱源流体ＨＰは、増熱流体流出管Ｙ４９を流れる４８．５℃、７７ｔ／ｈの増熱対象流体ＴＳと混合し、６１℃、１１０ｔ／ｈの混合流体ＴＡとなって混合流体流出管Ｙ５９を流れる。混合流体流出管Ｙ５９を流れる６１℃、１１０ｔ／ｈの混合流体ＴＡは、増熱吸収ヒートポンプＹ１から流出し、熱利用設備ＨＣＦで熱が利用されて温度が４０℃に低下して、増熱吸収ヒートポンプＹ１に流入する。増熱吸収ヒートポンプＹ１に流入して混合流体流入管Ｙ５５を流れる４０℃、１１０ｔ／ｈの混合流体ＴＡは、分流して、４０℃、７７ｔ／ｈの増熱対象流体ＴＳが増熱流体導入管Ｙ５１に流入し、４０℃、３３ｔ／ｈの低温熱源流体ＧＰが低温熱源流入管Ｙ５２に流入する。増熱流体導入管Ｙ５１を流れる４０℃、７７ｔ／ｈの増熱対象流体ＴＳは、吸収器Ｙ１０及び凝縮器Ｙ４０を通過した際にそれぞれで温度が上昇し、４８．５℃となって増熱流体流出管Ｙ４９に至る。増熱流体流出管Ｙ４９を流れる４８．５℃、７７ｔ／ｈ増熱対象流体ＴＳの流量は、上述のように、高温熱源流出管Ｙ３９を流れる９０℃、３３ｔ／ｈの高温熱源流体ＨＰと合流して、６１℃、１１０ｔ／ｈの混合流体ＴＡとなって混合流体流出管Ｙ５９を流れる。他方、低温熱源流入管Ｙ５２を流れる４０℃、３３ｔ／ｈの低温熱源流体ＧＰは、蒸発器Ｙ２０を通過した際に温度が３０℃に低下し、低温熱源流出管Ｙ２９を経て増熱吸収ヒートポンプＹ１から流出し、３０℃、３３ｔ／ｈの低温熱源流体ＧＰとして低温熱源管８２を流れ、途中で一部がバイパス往管６２に流入し、以降、上述の流れを繰り返す。このように作用する吸収式熱交換システム５は、複数の熱源を有効利用することができる。なお、副熱装置６１の副熱源ＡＳの温度が、昇温吸収ヒートポンプＸ１から流出する昇温対象流体ＲＰの温度より高い場合には、バイパス還管６３を流れる低温熱源流体ＧＰの温度を、昇温吸収ヒートポンプＸ１から流出した昇温対象流体ＲＰの温度より高くできて、副熱装置６１から流出した低温熱源流体ＧＰと合流した後の昇温対象流体ＲＰの温度を、合流前の昇温対象流体ＲＰの温度より高くできてよい。また、低温バイパスポンプ６６がなくとも、低温熱源流体ＧＰが所定の流量を確保してバイパス往管６２とバイパス還管６３を流れる場合には、低温バイパスポンプ６６はなくてもよい。副熱源ＡＳは温水等の高温液体の他、排ガス等の高温気体であってもよい。また、副熱装置６１は複数あってもよい。
【００９２】
次に図８を参照して、本発明の第６の実施の形態に係る吸収式熱交換システム６を説明する。図８は、吸収式熱交換システム６の模式的系統図である。以下の説明において、昇温吸収ヒートポンプＸ１の構成に言及しているときは適宜図２を参照し、増熱吸収ヒートポンプＹ１の構成に言及しているときは適宜図３を参照することとする。吸収式熱交換システム６は、以下の点で吸収式熱交換システム５（図７参照）と異なっている。吸収式熱交換システム６では、副熱装置６１に導入する流体が、昇温吸収ヒートポンプＸ１に導入される前の低温熱源流体ＧＰの一部ではなく、昇温吸収ヒートポンプＸ１で加熱された昇温対象流体ＲＰの一部としている。この構成の相違に伴い、吸収式熱交換システム５（図７参照）におけるバイパス往管６２（図７参照）に代えて、分岐迂回往管６５が、被加熱流体流入口６１ａに接続されている。分岐迂回往管６５の他端は、バイパス還管６３との接続部よりも上流側の昇温流体管８１に接続されている。分岐迂回往管６５には、内部の昇温対象流体ＲＰを流動させる分岐バイパスポンプ６７が配設されている。なお、吸収式熱交換システム６において、副熱装置６１は第２の副熱装置に相当し、副熱源ＡＳは第２の副熱源に相当する。上記以外の吸収式熱交換システム６の構成は、吸収式熱交換システム５（図７参照）と同様である。
【００９３】
上述のように構成された吸収式熱交換システム６では、増熱吸収ヒートポンプＹ１及び熱利用設備ＨＣＦまわりの作用は、被加熱流体及び加熱源流体の温度及び流量以外は、被加熱流体及び加熱源流体の流れ（合流や分流を含む）並びに吸収ヒートポンプサイクル等を含めて吸収式熱交換システム５（図７参照）と同様である。吸収式熱交換システム６では、増熱吸収ヒートポンプＹ１から、３０℃、３０ｔ／ｈの低温熱源流体ＧＰが低温熱源管８２に流出し、昇温吸収ヒートポンプＸ１に流入する。昇温吸収ヒートポンプＸ１及び熱源設備ＨＳＦまわりの作用は、被加熱流体及び加熱源流体の温度及び流量の変化を含めて、吸収式熱交換システム５（図７参照）と同様である。したがって、昇温吸収ヒートポンプＸ１からは、１００℃、３０ｔ／ｈの昇温対象流体ＲＰが昇温流体管８１に流出する。昇温流体管８１に流出した昇温対象流体ＲＰは、一部（本実施の形態では５ｔ／ｈ）が分岐迂回往管６５に流入し、残り（本実施の形態では２５ｔ／ｈ）が引き続き昇温流体管８１を流れる。分岐迂回往管６５に流入した１００℃、５ｔ／ｈの昇温対象流体ＲＰは、副熱装置６１に流入し、この副熱装置６１で副熱源ＡＳから受熱して温度が１１８℃に上昇した後、バイパス還管６３を流れて昇温流体管８１に流入する。これにより、バイパス還管６３との接続部よりも下流側の昇温流体管８１には、１０３℃、３０ｔ／ｈの昇温対象流体ＲＰが流れることとなる。この１０３℃、３０ｔ／ｈの昇温対象流体ＲＰは、高温熱源流体ＨＰとして増熱吸収ヒートポンプＹ１に流入する。
【００９４】
増熱吸収ヒートポンプＹ１に流入した１０３℃、３０ｔ／ｈの高温熱源流体ＨＰは、再生器Ｙ３０を通過した際に温度が低下し、９２℃となる。高温熱源流出管Ｙ３９を流れる９２℃、３０ｔ／ｈの高温熱源流体ＨＰは、増熱流体流出管Ｙ４９を流れる４８．５℃、７４．３ｔ／ｈの増熱対象流体ＴＳと混合し、６１℃、１０４．３ｔ／ｈの混合流体ＴＡとなって混合流体流出管Ｙ５９を流れる。混合流体流出管Ｙ５９を流れる６１℃、１０４．３ｔ／ｈの混合流体ＴＡは、増熱吸収ヒートポンプＹ１から流出し、熱利用設備ＨＣＦで熱が利用されて温度が４０℃に低下して、増熱吸収ヒートポンプＹ１に流入する。増熱吸収ヒートポンプＹ１に流入して混合流体流入管Ｙ５５を流れる４０℃、１０４．３ｔ／ｈの混合流体ＴＡは、分流して、４０℃、７４．３ｔ／ｈの増熱対象流体ＴＳが増熱流体導入管Ｙ５１に流入し、４０℃、３０ｔ／ｈの低温熱源流体ＧＰが低温熱源流入管Ｙ５２に流入する。増熱流体導入管Ｙ５１を流れる４０℃、７４．３ｔ／ｈの増熱対象流体ＴＳは、吸収器Ｙ１０及び凝縮器Ｙ４０を通過した際にそれぞれで温度が上昇し、４８．５℃となって増熱流体流出管Ｙ４９に至る。増熱流体流出管Ｙ４９を流れる４８．５℃、７４．３ｔ／ｈの増熱対象流体ＴＳの流量は、上述のように、高温熱源流出管Ｙ３９を流れる９２℃、３０ｔ／ｈの高温熱源流体ＨＰと合流して、６１℃、１０４．３ｔ／ｈの混合流体ＴＡとなって混合流体流出管Ｙ５９を流れる。他方、低温熱源流入管Ｙ５２を流れる４０℃、３０ｔ／ｈの低温熱源流体ＧＰは、蒸発器Ｙ２０を通過した際に温度が３０℃に低下し、低温熱源流出管Ｙ２９を経て増熱吸収ヒートポンプＹ１から流出し、３０℃、３０ｔ／ｈの低温熱源流体ＧＰとして低温熱源管８２を流れ、以降、上述の流れを繰り返す。このように、副熱装置６１の副熱源ＡＳの温度が昇温吸収ヒートポンプＸ１から流出する昇温対象流体ＲＰの温度より高い場合には、バイパス還管６３を流れる昇温対象流体ＲＰの温度を、分岐迂回往管６５に分流する前の昇温対象流体ＲＰの温度より高くして、副熱装置６１を通過して加熱された一部の昇温対象流体ＲＰと分岐迂回往管６５に流入しなかった残りの昇温対象流体ＲＰとが合流する昇温対象流体ＲＰの温度を、合流前の昇温対象流体ＲＰの温度より高くできてよい。このように作用する吸収式熱交換システム６は、昇温流体管８１の全長が長いために増熱吸収ヒートポンプＹ１に流入するまでに昇温対象流体ＲＰが放熱によって温度が低下する場合に、昇温対象流体ＲＰを加熱することにより、放熱によって失った温度を回復することができる。昇温流体管８１が長距離に及ぶ場合には、昇温対象流体ＲＰが放熱で失う温度を補うために、昇温対象流体ＲＰの温度が低下する所定の距離をおいて、副熱装置６１を複数設けるとよい。図８では、副熱装置６１を昇温流体管８１に対してバイパス回路（分岐迂回往管６５及びバイパス還管６３）を設けて並列に配置したが、分岐迂回往管６５が昇温流体管８１と接続する部位とバイパス還管６３が昇温流体管８１と接続する部位との間の昇温流体管８１を除去して、副熱装置６１を昇温流体管８１流路に直列に組み込んでもよい。また、分岐バイパスポンプ６７がなくとも、昇温対象流体ＲＰが所定の流量を確保して分岐迂回往管６５及びバイパス還管６３を流れる場合には、分岐バイパスポンプ６７はなくてもよい。また、本実施の形態の場合も、副熱源ＡＳは温水等の高温液体の他、排ガス等の高温気体であってもよい。
【００９５】
次に図９を参照して、本発明の第７の実施の形態に係る吸収式熱交換システム７を説明する。図９は、吸収式熱交換システム７の模式的系統図である。以下の説明において、昇温吸収ヒートポンプＸ１の構成に言及しているときは適宜図２を参照し、増熱吸収ヒートポンプＹ１の構成に言及しているときは適宜図３を参照することとする。吸収式熱交換システム７は、以下の点で吸収式熱交換システム１（図１参照）と異なっている。吸収式熱交換システム７では、２つの熱源設備ＨＳＦ１、ＨＳＦ２から熱を回収した合流熱源流体ＲＡのそれぞれを昇温することができるように、２台の昇温吸収ヒートポンプＸ１Ａ、Ｘ１Ｂを備えている。２台の昇温吸収ヒートポンプＸ１Ａ、Ｘ１Ｂは、共に昇温吸収ヒートポンプＸ１（図２参照）と同じ構成になっている。昇温吸収ヒートポンプＸ１Ａと熱源設備ＨＳＦ１とは、合流熱源往管８４Ａと、合流熱源ポンプ９３Ａが配設された合流熱源還管８５Ａとで接続されている。昇温吸収ヒートポンプＸ１Ａは第１の昇温吸収ヒートポンプに相当し、熱源設備ＨＳＦ１は第１の熱供給部に相当する。昇温吸収ヒートポンプＸ１Ｂと熱源設備ＨＳＦ２とは、合流熱源往管８４Ｂと、合流熱源ポンプ９３Ｂが配設された合流熱源還管８５Ｂとで接続されている。昇温吸収ヒートポンプＸ１Ｂは第２の昇温吸収ヒートポンプに相当し、熱源設備ＨＳＦ２は第２の熱供給部に相当する。
【００９６】
昇温流体管８１は、高温熱源導入口Ｙ２７の反対側で第１昇温流体管８１Ａと第２昇温流体管８１Ｂとに分岐しており、第１昇温流体管８１Ａの他端は昇温吸収ヒートポンプＸ１Ａの昇温流体流出口Ｘ１８に接続されており、第２昇温流体管８１Ｂの他端は昇温吸収ヒートポンプＸ１Ｂの昇温流体流出口Ｘ１８に接続されている。低温熱源管８２は、低温熱源流出口Ｙ２８の反対側で第１低温熱源管８２Ａと第２低温熱源管８２Ｂとに分岐しており、第１低温熱源管８２Ａの他端は昇温吸収ヒートポンプＸ１Ａの低温熱源導入口Ｘ１７に接続されており、第２低温熱源管８２Ｂの他端は昇温吸収ヒートポンプＸ１Ｂの低温熱源導入口Ｘ１７に接続されている。第１低温熱源管８２Ａには、内部の流体を流動させる第１低温熱源ポンプ９１Ａが配設されている。第２低温熱源管８２Ｂには、内部の流体を流動させる第２低温熱源ポンプ９１Ｂが配設されている。低温熱源管８２には、吸収式熱交換システム１（図１参照）と同様に低温熱源ポンプ９１及び膨張タンク９８が配設されている。上記以外の吸収式熱交換システム７の構成は、吸収式熱交換システム１（図１参照）と同様である。
【００９７】
上述のように構成された吸収式熱交換システム７では、増熱吸収ヒートポンプＹ１及び熱利用設備ＨＣＦまわりの作用は、被加熱流体及び加熱源流体の温度及び流量以外は、被加熱流体及び加熱源流体の流れ（合流や分流を含む）並びに吸収ヒートポンプサイクル等を含めて吸収式熱交換システム１（図１参照）と同様である。吸収式熱交換システム７では、増熱吸収ヒートポンプＹ１から、３０℃、４２．９ｔ／ｈの低温熱源流体ＧＰが低温熱源管８２に流出する。低温熱源管８２を流れる３０℃、４２．９ｔ／ｈの低温熱源流体ＧＰは、分流し、本実施の形態では、第１低温熱源管８２Ａに１２．９ｔ／ｈが流入し、第２低温熱源管８２Ｂに３０ｔ／ｈが流入することとする。第１低温熱源管８２Ａに流入した３０℃、１２．９ｔ／ｈの低温熱源流体ＧＰは、昇温吸収ヒートポンプＸ１Ａに流入し、凝縮器Ｘ４０を通過した際に温度が３３．５℃に上昇し、低温熱源流出管Ｘ４９に至る。低温熱源流出管Ｘ４９を流れる３３．５℃、１２．９ｔ／ｈの低温熱源流体ＧＰは、駆動熱源流出管Ｘ３９を流れる８０℃、１７．１ｔ／ｈの駆動熱源流体ＲＳに合流し、６０℃、３０ｔ／ｈの合流熱源流体ＲＡとなって熱源流体流出管Ｘ５９を流れ、昇温吸収ヒートポンプＸ１Ａから流出する。その後、合流熱源流体ＲＡは、熱源設備ＨＳＦ１を通過した際に加熱されて９０℃に温度が上昇し、昇温吸収ヒートポンプＸ１Ａに流入する。昇温吸収ヒートポンプＸ１Ａの熱源流体流入管Ｘ５５を流れる９０℃、３０ｔ／ｈの合流熱源流体ＲＡは、昇温流体導入管Ｘ５１に流入する９０℃、１２．９ｔ／ｈの昇温対象流体ＲＰと、駆動熱源導入管Ｘ５２に流入する９０℃、１７．１ｔ／ｈの駆動熱源流体ＲＳとに分流する。昇温流体導入管Ｘ５１を流れる９０℃、１２．９ｔ／ｈの昇温対象流体ＲＰは、昇温吸収器１０を通過した際に温度が１００℃に上昇し、昇温流体流出管Ｘ１９を介して昇温吸収ヒートポンプＸ１Ａから流出し、第１昇温流体管８１Ａを流れる。駆動熱源導入管Ｘ５２を流れる９０℃、１７．１ｔ／ｈの駆動熱源流体ＲＳは、蒸発器Ｘ２０及び再生器Ｘ３０を通過した際に温度が８０℃に低下し、駆動熱源流出管Ｘ３９に至る。駆動熱源流出管Ｘ３９を流れる８０℃、１７．１ｔ／ｈの駆動熱源流体ＲＳは、上述のように低温熱源流出管Ｘ４９を流れる３３．５℃、１２．９ｔ／ｈの低温熱源流体ＧＰが合流し、６０℃、３０ｔ／ｈの合流熱源流体ＲＡとなって熱源流体流出管Ｘ５９を流れ、以降、上述の流れを繰り返す。
【００９８】
他方、第２低温熱源管８２Ｂに流入した３０℃、３０ｔ／ｈの低温熱源流体ＧＰは、昇温吸収ヒートポンプＸ１Ｂに流入する。昇温吸収ヒートポンプＸ１Ｂ及び熱源設備ＨＳＦ２まわりの作用は、被加熱流体及び加熱源流体の温度及び流量の変化を含めて、吸収式熱交換システム１（図１参照）における昇温吸収ヒートポンプＸ１及び熱源設備ＨＳＦまわりの作用と同様である。したがって、昇温吸収ヒートポンプＸ１Ｂからは、１００℃、３０ｔ／ｈの昇温対象流体ＲＰが第２昇温流体管８１Ｂに流出する。第２昇温流体管８１Ｂを流れる１００℃、３０ｔ／ｈの昇温対象流体ＲＰは、上述の第１昇温流体管８１Ａを流れる１００℃、１２．９ｔ／ｈの昇温対象流体ＲＰと合流し、１００℃、４２．９ｔ／ｈの昇温対象流体ＲＰとなって昇温流体管８１を流れ、増熱吸収ヒートポンプＹ１に流入し、以降、上述の流れを繰り返す。このように作用する吸収式熱交換システム７は、２つの熱源設備ＨＳＦ１、ＨＳＦ２から回収した熱を媒介する昇温対象流体ＲＰの温度を高くすることができ、増熱吸収ヒートポンプＹ１に搬送する昇温対象流体ＲＰの流量を少なくすることができて、搬送動力を抑制することができる。特に、温度及び／又は流量が異なる２つの熱源から昇温対象流体ＲＰを取り出す場合には好適である。図９に示す例では、昇温吸収ヒートポンプＸ１Ａに流入する合流熱源流体ＲＡは９０℃、昇温吸収ヒートポンプＸ１Ｂに流入する合流熱源流体ＲＡは９５℃であるが、昇温吸収ヒートポンプＸ１Ａから流出する昇温対象流体ＲＰの温度と昇温吸収ヒートポンプＸ１Ｂから流出する昇温対象流体ＲＰの温度は共に１００℃である。図９に示す例では、熱源（熱源設備ＨＳＦ）を２つとしたが、３つ以上の熱源の場合も熱源の数に応じて昇温吸収ヒートポンプＸ１を増設するとよい。また、第１低温熱源ポンプ９１Ａがなくとも、低温熱源流体ＧＰが所定の流量を確保して第１低温熱源管８２Ａを流れ、昇温対象流体ＲＰが所定の流量を確保して第１昇温流体管８１Ａを流れる場合には、第１低温熱源ポンプ９１Ａはなくてもよい。同様に、第２低温熱源ポンプ９１Ｂがなくとも、低温熱源流体ＧＰが所定の流量を確保して第２低温熱源管８２Ｂを流れ、昇温対象流体ＲＰが所定の流量を確保して第２昇温流体管８１Ｂを流れる場合には、第２低温熱源ポンプ９１Ｂはなくてもよい。また、低温熱源ポンプ９１がなくとも、低温熱源流体ＧＰが所定の流量を確保して低温熱源管８２を流れ、昇温対象流体ＲＰが所定の流量を確保して昇温流体管８１を流れる場合には、低温熱源ポンプ９１はなくてもよい。
【００９９】
次に図１０を参照して、本発明の第１の実施の形態の変形例に係る吸収式熱交換システム１Ａを説明する。図１０は、吸収式熱交換システム１Ａの模式的系統図である。吸収式熱交換システム１Ａは、昇温吸収ヒートポンプＸ２が昇温吸収ヒートポンプＸ１（図２参照）に代えて設けられ、増熱吸収ヒートポンプＹ２が増熱吸収ヒートポンプＹ１（図３参照）に代えて設けられている点で、吸収式熱交換システム１（図１参照）と異なっている。昇温吸収ヒートポンプＸ２は昇温対象流体ＲＰ及び低温熱源流体ＧＰと駆動熱源流体ＲＳとが合流及び分流をせずに両者の縁が切れており、増熱吸収ヒートポンプＹ２は増熱対象流体ＴＳと高温熱源流体ＨＰ及び低温熱源流体ＧＰとが合流及び分流をせずに両者の縁が切れている。この構成に伴い、吸収式熱交換システム１Ａでは、低温熱源管８２に設けられた膨張タンク９８のほか、合流熱源ポンプ９３よりも上流側の合流熱源還管８５に膨張タンク９７が設けられ、混合流体ポンプ９２よりも上流側の混合熱源還管８８に膨張タンク９９が設けられている。各系統には少なくとも１つの膨張タンクを設けるのが好ましく、各系統に複数の膨張タンクを設けてもよい。吸収式熱交換システム１Ａの上記以外の構成は、昇温吸収ヒートポンプＸ２と増熱吸収ヒートポンプＹ２とを接続する昇温流体管８１及び低温熱源管８２を備えている点、昇温吸収ヒートポンプＸ２と熱源設備ＨＳＦとを接続する合流熱源往管８４及び合流熱源還管８５を備えている点、増熱吸収ヒートポンプＹ２と熱利用設備ＨＣＦとを接続する混合熱源往管８７及び混合熱源還管８８を備えている点等を含めて、吸収式熱交換システム１（図１参照）と同様である。以下に、昇温吸収ヒートポンプＸ２及び増熱吸収ヒートポンプＹ２の詳細な構成を説明する。
【０１００】
図１１は、昇温吸収ヒートポンプＸ２の模式的系統図である。昇温吸収ヒートポンプＸ２は、以下の点で昇温吸収ヒートポンプＸ１（図２参照）と異なっている。昇温吸収ヒートポンプＸ２では、昇温流体導入管Ｘ５１（図２参照）に代えて、熱源流体バイパス管Ｘ５３の一端が、熱源流体流入管Ｘ５５と駆動熱源導入管Ｘ５２との接続部に接続されている。熱源流体バイパス管Ｘ５３の他端は、駆動熱源流出管Ｘ３９と熱源流体流出管Ｘ５９との接続部に接続されている。なお、低温熱源流出管Ｘ４９（図２参照）は、昇温吸収ヒートポンプＸ２では設けられていない。熱源流体バイパス管Ｘ５３は、熱源流体流入管Ｘ５５を流れる合流熱源流体ＲＡから分岐された一部である分岐熱源流体ＲＱを、蒸発器Ｘ２０及び再生器Ｘ３０をバイパスして、駆動熱源流出管Ｘ３９を流れる駆動熱源流体ＲＳに合流させる流路を構成する管であり、昇温駆動熱源流体バイパス流路に相当する。熱源流体バイパス管Ｘ５３には、流路を遮断可能な熱源流体バイパス弁Ｘ５３ｖが配設されている。また、昇温吸収ヒートポンプＸ２では、凝縮器Ｘ４０の伝熱管Ｘ４２の低温熱源導入管Ｘ５７が接続された側とは反対側の端部と、吸収器Ｘ１０の伝熱管Ｘ１２の昇温流体流出管Ｘ１９が接続された側とは反対側の端部とが、昇温流体連絡管Ｘ１５で接続されている。昇温流体連絡管Ｘ１５及び熱源流体バイパス管Ｘ５３には、低温熱源流体ＧＰと分岐熱源流体ＲＱとで熱交換を行わせる昇温熱交換器Ｘ７１が設けられている。昇温吸収ヒートポンプＸ２では、昇温熱交換器Ｘ７１を流出した低温熱源流体ＧＰを昇温対象流体ＲＰということとしており、昇温熱交換器Ｘ７１で加熱された低温熱源流体ＧＰを昇温対象流体ＲＰとして吸収器Ｘ１０に導入するように構成されている。昇温吸収ヒートポンプＸ２の上記以外の構成は、昇温吸収ヒートポンプＸ１（図２参照）と同様である。
【０１０１】
次に図１２を参照して、増熱吸収ヒートポンプＹ２の詳細な構成を説明する。図１２は、増熱吸収ヒートポンプＹ２の模式的系統図である。増熱吸収ヒートポンプＹ２は、以下の点で増熱吸収ヒートポンプＹ１（図３参照）と異なっている。増熱吸収ヒートポンプＹ２では、増熱流体導入管Ｙ５１（図３参照）及び低温熱源流入管Ｙ５２（図３参照）が設けられておらず、混合流体流入管Ｙ５５が、吸収器Ｙ１０の伝熱管Ｙ１２の増熱流体連絡管Ｙ１５が接続された側とは反対側の端部に接続されている。また、増熱吸収ヒートポンプＹ２は、増熱流体流出管Ｙ４９（図３参照）が設けられておらず、混合流体流出管Ｙ５９が、凝縮器Ｙ４０の伝熱管Ｙ４２の増熱流体連絡管Ｙ１５が接続された側とは反対側の端部に接続されている。なお、増熱吸収ヒートポンプＹ２では、混合流体流入管Ｙ５５及び混合流体流出管Ｙ５９を流れるのは混合流体ＴＡ（図３参照）ではなく増熱対象流体ＴＳになるが、増熱吸収ヒートポンプＹ１（図３参照）の構成との対比の便宜上、混合流体流入管Ｙ５５及び混合流体流出管Ｙ５９という呼称を用いている。また、増熱吸収ヒートポンプＹ２では、高温熱源流出管Ｙ３９の他端が、混合流体流出管Ｙ５９の一端ではなく、蒸発器Ｙ２０の熱源管Ｙ２２の低温熱源流出管Ｙ２９が接続された側とは反対側の端部に接続されている。高温熱源流出管Ｙ３９及び混合流体流出管Ｙ５９には、高温熱源流体ＨＰと増熱対象流体ＴＳとで熱交換を行わせる増熱熱交換器Ｙ７２が設けられている。増熱吸収ヒートポンプＹ２では、増熱熱交換器Ｙ７２を流出した高温熱源流体ＨＰを低温熱源流体ＧＰということとしており、増熱熱交換器Ｙ７２を流出した高温熱源流体ＨＰを低温熱源流体ＧＰとして蒸発器Ｙ２０に導入するように構成されている。増熱吸収ヒートポンプＹ２の上記以外の構成は、増熱吸収ヒートポンプＹ１（図３参照）と同様である。
【０１０２】
また、図１０乃至図１２を参照して補足すると、凝縮器Ｘ４０の伝熱管Ｘ４２、昇温流体連絡管Ｘ１５、吸収器Ｘ１０の伝熱管Ｘ１２、再生器Ｙ３０の熱源管Ｙ３２、高温熱源流出管Ｙ３９、蒸発器Ｙ２０の熱源管Ｙ２２は第１の循環経路を構成し、低温熱源ポンプ９１は、第１の循環経路に低温熱源流体ＧＰ又は昇温対象流体ＲＰ又は高温熱源流体ＨＰを循環させるポンプである。吸収器Ｙ１０の伝熱管Ｙ１２、凝縮器Ｙ４０の伝熱管Ｙ４２、増熱流体連絡管Ｙ１５、熱利用設備ＨＣＦは第２の循環経路を構成し、混合流体ポンプ９２は、第２の循環経路に増熱対象流体ＴＳを循環させるポンプである。熱源設備ＨＳＦ、蒸発器Ｘ２０の熱源管Ｘ２２、再生器Ｘ３０の熱源管Ｘ３２、駆動熱源連絡管Ｘ２５、熱源流体バイパス管Ｘ５３は第３の循環経路を構成し、合流熱源ポンプ９３は、合流熱源流体ＲＡ又は駆動熱源流体ＲＳ又は分岐熱源流体ＲＱを第３の循環経路に循環させるポンプである。第１の循環経路、第２の循環経路、第３の循環経路は合流も分流もしない独立した循環経路である。
【０１０３】
引き続き図１０乃至図１２を参照して、吸収式熱交換システム１Ａの作用を説明する。先に、図１０及び図１１を参照して昇温吸収ヒートポンプＸ２まわりの作用を説明すると、合流熱源ポンプ９３の起動によって流動する合流熱源流体ＲＡは、熱源設備ＨＳＦにおいて、排熱を回収して温度が上昇し、合流熱源往管８４を介して、熱源流体流入口Ｘ５６から昇温吸収ヒートポンプＸ２に流入する。昇温吸収ヒートポンプＸ２に流入した合流熱源流体ＲＡは、熱源流体流入管Ｘ５５を流れた後、駆動熱源導入管Ｘ５２に入る駆動熱源流体ＲＳと、熱源流体バイパス管Ｘ５３に入る分岐熱源流体ＲＱと、に分流する。駆動熱源導入管Ｘ５２を流れる駆動熱源流体ＲＳは、蒸発器Ｘ２０の熱源管Ｘ２２に流入し、冷媒液ＸＶｆが蒸発器冷媒蒸気ＸＶｅとなるのに必要な蒸発潜熱を奪われて温度が低下した後、駆動熱源連絡管Ｘ２５に至る。駆動熱源連絡管Ｘ２５を流れる駆動熱源流体ＲＳは、再生器Ｘ３０の熱源管Ｘ３２に流入し、希溶液ＸＳｗから再生器冷媒蒸気ＸＶｇを離脱させるのに必要な熱が奪われて温度が低下した後、駆動熱源流出管Ｘ３９に至る。他方、合流熱源流体ＲＡから分流した分岐熱源流体ＲＱは、熱源流体バイパス管Ｘ５３を流れ、昇温熱交換器Ｘ７１で低温熱源流体ＧＰと熱交換して温度が低下した後に、駆動熱源流出管Ｘ３９を流れる駆動熱源流体ＲＳと合流する。合流した駆動熱源流体ＲＳと分岐熱源流体ＲＱとは、合流熱源流体ＲＡとなって熱源流体流出管Ｘ５９を流れ、熱源流体流出口Ｘ５８から昇温吸収ヒートポンプＸ１を流出して、合流熱源還管８５に至る。合流熱源還管８５に流入した合流熱源流体ＲＡは、熱源設備ＨＳＦに流入して排熱を回収して温度が上昇した後に合流熱源往管８４に至り、以降、上述の作用を繰り返す。
【０１０４】
他方、昇温吸収ヒートポンプＸ２には、低温熱源管８２を流れる低温熱源流体ＧＰが、低温熱源導入口Ｘ１７を経て低温熱源導入管Ｘ５７に流入する。低温熱源管８２から低温熱源導入管Ｘ５７に流入する低温熱源流体ＧＰは、低温熱源ポンプ９１の起動によって流動する。低温熱源導入管Ｘ５７を流れる低温熱源流体ＧＰは、凝縮器Ｘ４０の伝熱管Ｘ４２に流入し、再生器冷媒蒸気ＸＶｇが凝縮する際に放出した凝縮熱を得て温度が上昇した後、昇温流体連絡管Ｘ１５に至る。昇温流体連絡管Ｘ１５を流れる低温熱源流体ＧＰは、昇温熱交換器Ｘ７１で分岐熱源流体ＲＱと熱交換して温度が上昇した後に、昇温対象流体ＲＰとして吸収器Ｘ１０の伝熱管Ｘ１２に流入し、濃溶液ＸＳａが蒸発器冷媒蒸気ＸＶｅを吸収した際に発生した吸収熱を得て温度が上昇した後、昇温流体流出管Ｘ１９を流れ、昇温流体流出口Ｘ１８から昇温吸収ヒートポンプＸ１を流出して、昇温流体管８１に至る。昇温吸収ヒートポンプＸ２において、上述のような、駆動熱源流体ＲＳ並びに低温熱源流体ＧＰ及び昇温対象流体ＲＰの温度変化をもたらす吸収液ＸＳと冷媒ＸＶとの吸収ヒートポンプサイクルは、昇温吸収ヒートポンプＸ１（図２参照）における吸収ヒートポンプサイクルと同様である。
【０１０５】
次に図１０及び図１２を参照して増熱吸収ヒートポンプＹ２の作用を説明すると、昇温流体管８１を流れる昇温対象流体ＲＰは、高温熱源導入口Ｙ２７から、高温熱源流体ＨＰとして増熱吸収ヒートポンプＹ２に流入する。増熱吸収ヒートポンプＹ２に流入した高温熱源流体ＨＰは、高温熱源導入管Ｙ５７を流れ、再生器Ｙ３０の熱源管Ｙ３２に流入し、希溶液ＹＳｗから再生器冷媒蒸気ＹＶｇを離脱させるのに必要な熱が奪われて温度が低下した後、高温熱源流出管Ｙ３９に至る。高温熱源流出管Ｙ３９を流れる高温熱源流体ＨＰは、増熱熱交換器Ｘ７２で増熱対象流体ＴＳと熱交換して温度が低下した後に、低温熱源流体ＧＰとして蒸発器Ｙ２０の熱源管Ｙ２２に流入し、冷媒液ＹＶｆが蒸発器冷媒蒸気ＹＶｅとなるのに必要な蒸発潜熱を奪われて温度が低下した後、低温熱源流出管Ｙ２９を流れる。低温熱源流出管Ｙ２９を流れる低温熱源流体ＧＰは、低温熱源流出口Ｙ２８から増熱吸収ヒートポンプＹ２を流出して低温熱源管８２に至る。低温熱源管８２の低温熱源流体ＧＰは、前述のように低温熱源ポンプ９１の起動によって流動し、昇温吸収ヒートポンプＸ２に向かう。
【０１０６】
一方で、吸収器Ｙ１０の伝熱管Ｙ１２には、熱利用設備ＨＣＦから流出した増熱対象流体ＴＳが、混合熱源還管８８及び混合流体流入管Ｙ５５を介して流入する。混合熱源還管８８から混合流体流入管Ｙ５５に流入する増熱対象流体ＴＳは、混合流体ポンプ９２の起動によって流動する。吸収器Ｙ１０の伝熱管Ｙ１２に流入した増熱対象流体ＴＳは、濃溶液ＹＳａが蒸発器冷媒蒸気ＹＶｅを吸収した際に発生した吸収熱を得て温度が上昇した後、増熱流体連絡管Ｙ１５に至る。増熱流体連絡管Ｙ１５を流れる増熱対象流体ＴＳは、凝縮器Ｙ４０の伝熱管Ｙ４２に流入し、再生器冷媒蒸気ＹＶｇが凝縮する際に放出した凝縮熱を得てさらに温度が上昇した後、混合流体流出管Ｙ５９を流れる。混合流体流出管Ｙ５９を流れる増熱対象流体ＴＳは、増熱熱交換器Ｘ７２で高温熱源流体ＨＰと熱交換して温度が上昇した後に、混合流体流出口Ｙ５８から増熱吸収ヒートポンプＹ２を流出して、混合熱源往管８７を流れ、熱利用設備ＨＣＦに流入し、熱が利用されて温度が低下した後に熱利用設備ＨＣＦから流出して混合熱源還管８８を流れ、以降、上述の作用を繰り返す。増熱吸収ヒートポンプＹ２において、上述のような、高温熱源流体ＨＰ及び低温熱源流体ＧＰ並びに増熱対象流体ＴＳの温度変化をもたらす吸収液ＹＳと冷媒ＹＶとの吸収ヒートポンプサイクルは、増熱吸収ヒートポンプＹ１（図３参照）における吸収ヒートポンプサイクルと同様である。
【０１０７】
再び図１０を主に参照して、上述のような作用を行う吸収式熱交換システム１Ａにおける、昇温吸収ヒートポンプＸ２、増熱吸収ヒートポンプＹ２、熱源設備ＨＳＦ、熱利用設備ＨＣＦを循環する流体の温度及び流量について、具体例を挙げて説明する。吸収式熱交換システム１Ａでは、昇温吸収ヒートポンプＸ２内において、昇温対象流体ＲＰ及び低温熱源流体ＧＰと、駆動熱源流体ＲＳと、が混合することなくそれぞれ独立した系統となっており、増熱吸収ヒートポンプＹ２内において、高温熱源流体ＨＰ及び低温熱源流体ＧＰと、増熱対象流体ＴＳと、が混合することなくそれぞれ独立した系統となっている。吸収式熱交換システム１Ａでは、駆動熱源流体ＲＳは、流量が６０ｔ／ｈで昇温吸収ヒートポンプＸ２と熱源設備ＨＳＦとの間を循環し、温度は、９５℃で熱源設備ＨＳＦから流出して昇温吸収ヒートポンプＸ２に流入し、６０℃で昇温吸収ヒートポンプＸ２から流出して熱源設備ＨＳＦに流入する。また、昇温対象流体ＲＰ及び低温熱源流体ＧＰは、流量が３０ｔ／ｈで昇温吸収ヒートポンプＸ２と増熱吸収ヒートポンプＹ２との間を循環し（増熱吸収ヒートポンプＹ内では高温熱源流体ＨＰという呼称になっているが実体は昇温対象流体ＲＰである）、１００℃で昇温吸収ヒートポンプＸ２から流出して増熱吸収ヒートポンプＹ２に流入し、３０℃で増熱吸収ヒートポンプＹ２から流出して昇温吸収ヒートポンプＸ２に流入する。また、増熱対象流体ＴＳは、流量が１０５ｔ／ｈで増熱吸収ヒートポンプＹ２と熱利用設備ＨＣＦとの間を循環し、６０℃で増熱吸収ヒートポンプＹ２から流出して熱利用設備ＨＣＦに流入し、４０℃で熱利用設備ＨＣＦから流出して増熱吸収ヒートポンプＹ２に流入する。
【０１０８】
上述のように作用する吸収式熱交換システム１Ａによれば、熱源設備ＨＳＦに対して流入出する合流熱源流体ＲＡの温度差（本実施の形態では３５℃）よりも、昇温吸収ヒートポンプＸ２に対して流入出する低温熱源流体ＧＰ及び昇温対象流体ＲＰの温度差（本実施の形態では７０℃）を大きくすることができるので、昇温流体管８１及び低温熱源管８２を流れる昇温対象流体ＲＰ及び低温熱源流体ＧＰの流量を少なくして流体搬送に要するエネルギーを削減することができる。このことは、昇温吸収ヒートポンプＸ２と増熱吸収ヒートポンプＹ２との距離が離れているほど効果が顕著である。
【０１０９】
なお、図１３に示す、変形例に係る昇温吸収ヒートポンプＸ２Ａを、吸収式熱交換システム１Ａ（図１０参照）において昇温吸収ヒートポンプＸ２（図１１参照）に代えて設けることとしてもよい。図１３は、昇温吸収ヒートポンプＸ２Ａの模式的系統図である。昇温吸収ヒートポンプＸ２Ａは、以下の点で昇温吸収ヒートポンプＸ２（図１１参照）と異なっている。昇温吸収ヒートポンプＸ２Ａでは、熱源流体バイパス管Ｘ５３（図１１参照）が設けられておらず、熱源流体流入管Ｘ５５を流れる合流熱源流体ＲＡのすべてが駆動熱源流体ＲＳとして駆動熱源導入管Ｘ５２に流入するようになっている。また、昇温吸収ヒートポンプＸ２Ａでは、昇温熱交換器Ｘ７１が、昇温流体連絡管Ｘ１５及び熱源流体バイパス管Ｘ５３（図１１参照）に代えて、昇温流体連絡管Ｘ１５及び駆動熱源流出管Ｘ３９に設けられている。昇温熱交換器Ｘ７１を流出して駆動熱源流出管Ｘ３９を流れる駆動熱源流体ＲＳは、すべてが合流熱源流体ＲＡとして熱源流体流出管Ｘ５９を流れるように構成されている。なお、昇温吸収ヒートポンプＸ２Ａでは、熱源流体流入管Ｘ５５を流れる合流熱源流体ＲＡは駆動熱源導入管Ｘ５２を流れる駆動熱源流体ＲＳと同じものであり、熱源流体流出管Ｘ５９を流れる合流熱源流体ＲＡは駆動熱源流出管Ｘ３９を流れる駆動熱源流体ＲＳと同じものであるが、昇温吸収ヒートポンプＸ２（図１１参照）の構成との対比の便宜上、熱源流体流入管Ｘ５５及び熱源流体流出管Ｘ５９を流れる流体に合流熱源流体ＲＡという呼称を用いている。昇温吸収ヒートポンプＸ２Ａの上記以外の構成は、昇温吸収ヒートポンプＸ２（図１１参照）と同様である。このように構成された昇温吸収ヒートポンプＸ２Ａにおいても、駆動熱源流体ＲＳは、流量が６０ｔ／ｈで昇温吸収ヒートポンプＸ２Ａと熱源設備ＨＳＦとの間を循環させ、温度は、９５℃で熱源設備ＨＳＦから流出して昇温吸収ヒートポンプＸ２Ａに流入し、６０℃で昇温吸収ヒートポンプＸ２Ａから流出して熱源設備ＨＳＦに流入するようにできる。また、昇温対象流体ＲＰ及び低温熱源流体ＧＰは、流量が３０ｔ／ｈで昇温吸収ヒートポンプＸ２Ａと増熱吸収ヒートポンプＹ２との間を循環させ、１００℃で昇温吸収ヒートポンプＸ２Ａから流出して増熱吸収ヒートポンプＹ２に流入し、３０℃で増熱吸収ヒートポンプＹ２から流出して昇温吸収ヒートポンプＸ２Ａに流入するようにできる。
【０１１０】
吸収式熱交換システム１Ａ（図１０参照）における昇温吸収ヒートポンプＸ２（図１１参照）及び増熱吸収ヒートポンプＹ２（図１２参照）は、それぞれ、吸収式熱交換システム２（図４参照）乃至吸収式熱交換システム７（図９参照）において、昇温吸収ヒートポンプＸ１（図２参照）及び増熱吸収ヒートポンプＹ１（図３参照）に代えて適用することができる。また、昇温吸収ヒートポンプＸ２（図１１参照）に代えて昇温吸収ヒートポンプＸ２Ａ（図１３参照）を適用することもできる。吸収式熱交換システム２（図４参照）乃至吸収式熱交換システム７（図９参照）において、昇温吸収ヒートポンプＸ１（図２参照）を昇温吸収ヒートポンプＸ２（図１１参照）あるいは昇温吸収ヒートポンプＸ２Ａ（図１３参照）に置き換え、増熱吸収ヒートポンプＹ１（図３参照）を増熱吸収ヒートポンプＹ２（図１２参照）に置き換えるとき、吸収式熱交換システム１（図１参照）における昇温吸収ヒートポンプＸ１及び増熱吸収ヒートポンプＹ１を昇温吸収ヒートポンプＸ２及び増熱吸収ヒートポンプＹ２に置き換えて吸収式熱交換システム１Ａ（図１０参照）を構成したのに倣って適用するとよい。
【０１１１】
また、吸収式熱交換システム１（図１参照）乃至吸収式熱交換システム７（図９参照）において、昇温吸収ヒートポンプＸ１を代えずに増熱吸収ヒートポンプＹ１を増熱吸収ヒートポンプＹ２（図１２参照）に代えることとしてもよく、あるいは、増熱吸収ヒートポンプＹ１を代えずに昇温吸収ヒートポンプＸ１を昇温吸収ヒートポンプＸ２（図１１参照）あるいは昇温吸収ヒートポンプＸ２Ａ（図１３参照）に代えることとしてもよい。
【０１１２】
以上で説明した吸収式熱交換システム１Ａにおいて、熱源設備ＨＳＦと昇温吸収ヒートポンプＸ２（又は昇温吸収ヒートポンプＸ２Ａ）とを循環する合流熱源流体ＲＡ、昇温吸収ヒートポンプＸ２（Ｘ２Ａ）と増熱吸収ヒートポンプＹ２とを循環する昇温対象流体ＲＰ及び低温熱源流体ＧＰ、増熱吸収ヒートポンプＹ２と熱利用設備ＨＣＦとを循環する増熱対象流体ＴＳには、水の他に水より沸点が高い液体を適用してもよい。水より沸点が高い液体を適用すると、沸騰抑制のために昇温対象流体ＲＰを加圧する必要がなくてよい。特に、吸収式熱交換システム１Ａでは、熱源設備ＨＳＦと昇温吸収ヒートポンプＸ２（Ｘ２Ａ）とを循環する合流熱源流体ＲＡ、昇温吸収ヒートポンプＸ２（Ｘ２Ａ）と増熱吸収ヒートポンプＹ２とを循環する昇温対象流体ＲＰ及び低温熱源流体ＧＰ、増熱吸収ヒートポンプＹ２と熱利用設備ＨＣＦとを循環する増熱対象流体ＴＳがそれぞれ混合することのない独立した循環経路を構成している。そこで、合流熱源流体ＲＡ及び増熱対象流体ＴＳには一般的な水を使い、温度が高くなる昇温対象流体ＲＰ等には水より沸点が高い液体を適用すると、沸騰抑制のために昇温対象流体ＲＰを加圧する必要がなく、沸点の高い液体を使う量も少なくなって設備のコストを抑制することができる。このように、各循環流路を流れる流体の温度が水の大気圧における沸点（１００℃）より高くなる流体には、使用温度に応じて水より沸点が高い熱媒液又は化学液体を適用するとい。また、工場の製造プロセスで使っている流体を合流熱源流体ＲＡにそのまま導入して熱利用してもよい。
【０１１３】
以上の説明では、吸収式熱交換システム７（図９参照）を除き、熱源設備ＨＳＦが１つの熱源から構成されているように示されているが、温度の異なる複数の熱源から構成されていてもよい。例えば、製鉄所や発電所等には、温度が異なる種々の熱源がある場合が少なくなく、このような場合に適用することができる。この場合、熱源設備ＨＳＦを通過する合流熱源流体ＲＡは、低い温度の熱源から高い温度の熱源に、順に通過するように構成するとよい。
【０１１４】
以上の説明では、合流熱源還管８５を流れる合流熱源流体ＲＡは、熱源設備ＨＳＦに導入されることとしたが、熱源設備ＨＳＦに導入されずに系外に排出されることとしてもよい。この場合、熱源設備ＨＳＦで回収される熱の媒体となる合流熱源流体ＲＡは、系外から別途導入されることとなる。また、以上の説明では、混合熱源還管８８を流れる混合流体ＴＡあるいは増熱対象流体ＴＳは、熱利用設備ＨＣＦから流出したものであることとしたが、系外から導入した流体を混合熱源還管８８に流入させ、熱利用設備ＨＣＦで熱が利用された後の温度が低下した混合流体ＴＡあるいは増熱対象流体ＴＳを系外に排出することとしてもよい。なお、吸収式熱交システム１、１Ａ、２−７において、昇温流体管８１を流れる昇温対象流体ＲＰの流量と低温熱源管８２を流れる低温熱源流体ＧＰの流量とを同じにして流量のバランスを維持し、昇温吸収ヒートポンプＸ１（Ｘ２、Ｘ２Ａ）から増熱吸収ヒートポンプＹ１（Ｙ２）へと熱輸送を行っている。
【０１１５】
以上の説明では、昇温吸収ヒートポンプＸ１、Ｘ２、Ｘ２Ａにおいて、駆動熱源流体ＲＳが、蒸発器Ｘ２０から再生器Ｘ３０に直列に流れることとしたが、流れの方向を逆にして再生器Ｘ３０から蒸発器Ｘ２０に直列に流れることとしてもよく、蒸発器Ｘ２０及び再生器Ｘ３０に並列に流れることとしてもよい。
【０１１６】
以上の説明では、昇温吸収ヒートポンプＸ１、Ｘ２、Ｘ２Ａにおいて、蒸発器Ｘ２０が満液式であるとしたが、流下液膜式であってもよい。蒸発器を流下液膜式とする場合は、蒸発器缶胴Ｘ２１内の上部に冷媒液ＸＶｆを供給する冷媒液供給装置を設け、満液式の場合に蒸発器缶胴Ｘ２１に接続することとしていた冷媒液管Ｘ４５の端部を、冷媒液供給装置に接続すればよい。また、蒸発器缶胴Ｘ２１の下部の冷媒液ＸＶｆを冷媒液供給装置に供給する配管及びポンプを設けてもよい。
【符号の説明】
【０１１７】
１、１Ａ、２、３、４、５、６、７  吸収式熱交換システム
Ｘ１、Ｘ１Ａ、Ｘ１Ｂ、Ｘ２、Ｘ２Ａ  昇温吸収ヒートポンプ
Ｘ１０  吸収器
Ｘ２０  蒸発器
Ｘ３０  再生器
Ｘ４０  凝縮器
Ｘ５３  熱源流体バイパス管
Ｘ５６  熱源流体流入口
Ｘ５８  熱源流体流出口
Ｘ７１  昇温熱交換器
Ｙ１、Ｙ１Ａ、Ｙ１Ｂ、Ｙ１Ｃ、Ｙ２  増熱吸収ヒートポンプ
Ｙ１０  吸収器
Ｙ２０  蒸発器
Ｙ３０  再生器
Ｙ３９ａ  中間流出口
Ｙ３９ｂ  中間流入口
Ｙ４０  凝縮器
Ｙ５６  混合流体流入口
Ｙ５８  混合流体流出口
Ｙ７２  増熱熱交換器
６１    副熱装置
８１    昇温流体管
８２    低温熱源管
９１    低温熱源ポンプ
９２    混合流体ポンプ
９８    膨張タンク
４８７  分岐流出往管
４８８  分岐流出還管
ＡＳ    副熱源
ＧＰ    低温熱源流体
ＨＣＦ  熱利用設備
ＨＳＦ  熱源設備
ＨＰ    高温熱源流体
ＲＰ    昇温対象流体
ＲＳ    駆動熱源流体
ＲＱ    分岐熱源流体
ＴＡ    混合流体
ＴＳ    増熱対象流体
ＸＳａ、ＹＳａ  濃溶液
ＸＳｗ、ＹＳｗ  希溶液
ＸＶｅ、ＹＶｅ  蒸発器冷媒蒸気
ＸＶｆ、ＹＶｆ  冷媒液
ＸＶｇ、ＹＶｇ  再生器冷媒蒸気
【図１】
2019070506.tif 000003
【図２】
2019070506.tif 000004
【図３】
2019070506.tif 000005
【図４】
2019070506.tif 000006
【図５】
2019070506.tif 000007
【図６】
2019070506.tif 000008
【図７】
2019070506.tif 000009
【図８】
2019070506.tif 000010
【図９】
2019070506.tif 000011
【図１０】
2019070506.tif 000012
【図１１】
2019070506.tif 000013
【図１２】
2019070506.tif 000014
【図１３】
2019070506.tif 000015